(57)【要約】ユーザの耳道を灌注するためのシステム及び方法である。洗浄剤は洗浄剤リザーバから分配され、洗浄液流体連絡経路を通ってカニューレ上の出力アパーチャに移動する。洗浄剤を分配するプロセスを容易にするためにポンプを使用することができる。洗浄剤は、ある期間の間、ユーザの耳道を通ってパルス出力される。このような期間はユーザ選択可能にすることができる。灌注からの排出物は、カニューレ上に位置する排出物収集インレットポートを介してユーザの耳道から除去される。排出物はカニューレを出て、流体排出物流体連絡経路を介して排出物収集リザーバに進む。カニューレの開口部又は排出物収集リザーバに低圧の領域を発生して、耳道からの排出物の除去を容易にするために、真空を使用することができる。【選択図】図１Ａ
2019527570.tif 000002
【特許請求の範囲】
【請求項１】
人の耳の外耳道を灌注するための装置であって、
一方の人の耳を受け入れるようなサイズ及び寸法の空洞を有し、人の耳の上に装着されるようなサイズ及び寸法の第１の耳当てを含み、
前記第１の耳当てが、
洗浄剤を保持するための第１の洗浄剤リザーバと、
灌注からの排出物を収集するための第１の排出物収集リザーバと、
カニューレが選択的に脱着式に物理的に連結可能な第１のカニューレ連結器インターフェースと、
前記第１の洗浄剤リザーバと前記第１のカニューレ連結器インターフェースとの間の流体連絡を提供する第１の洗浄液流体連絡経路と、
前記第１の排出物収集リザーバと前記第１のカニューレ連結器インターフェースとの間の流体連絡を提供する第１の排出物流体連絡経路と、
を含む、装置。
【請求項２】
一方の人の耳を受け入れるようなサイズ及び寸法の空洞を有し、人の耳の上に装着されるようなサイズ及び寸法の第２の耳当てを更に含み、
前記第２の耳当てが、
洗浄剤を保持するための第２の洗浄剤リザーバと、
灌注からの排出物を収集するための第２の排出物収集リザーバと、
カニューレが選択的に脱着式に物理的に連結可能な第２のカニューレ連結器インターフェースと、
前記第２の洗浄剤リザーバと前記第２のカニューレ連結器インターフェースとの間の流体連絡を提供する第２の洗浄液流体連絡経路と、
前記第２の排出物収集リザーバと前記第２のカニューレ連結器インターフェースとの間の流体連絡を提供する第２の排出物流体連絡経路と、
を含む、請求項１に記載の装置。
【請求項３】
互いに間隔をあけて離れた状態で前記第１の耳当てと前記第２の耳当てを調節可能に接続する調節可能ヘッドストラップを更に含み、
前記調節可能ヘッドストラップが、前記第１の耳当てが第１の耳の上に位置決めされ、前記第２の耳当てが第２の耳の上に位置決めされた状態で人の頭の上に装着されるようなサイズ及び寸法である、請求項２に記載の装置。
【請求項４】
第１の軸の周りを旋回するように前記第１の耳当てを前記調節可能ヘッドストラップに旋回式に連結する少なくとも第１の座付連結器と、
第２の軸の周りを旋回するように前記第２の耳当てを前記調節可能ヘッドストラップに旋回式に連結する少なくとも第２の座付連結器と、を更に含み、
前記第１及び前記第２の軸が、前記第１及び前記第２の耳当ての前記それぞれのカニューレ連結器インターフェースの間に伸びる軸に対して垂直である、請求項３に記載の装置。
【請求項５】
前記第１の洗浄剤リザーバが、ポートを有し、
前記第１の排出物収集リザーバが、ポートを有し、
前記第１の耳当てが、第１のハウジングを更に含み、
前記第１のハウジングが、前記第１のハウジングの内部を形成する皿状部と蓋部とを含み、前記第１のハウジングを通って伸び、前記第１の洗浄剤リザーバの前記ポートと位置合わせされ、それと噛み合うようなサイズ及び寸法である第１の通路と、前記第１のハウジングを通って伸び、前記第１の排出物収集リザーバの前記ポートと位置合わせされ、それと噛み合うようなサイズ及び寸法である第２の通路と、を備え、
前記第１のハウジングの前記内部が、前記第１及び前記第２の通路からシールされる、請求項３に記載の装置。
【請求項６】
前記第１の耳当てが、第１の環状ブラケットを更に含み、
前記第１の環状ブラケットが、前記調節可能ヘッドストラップに旋回式に連結され、
前記第１のハウジングが、前記第１の環状ブラケットに選択的に脱着式に連結される、請求項５に記載の装置。
【請求項７】
前記第１の耳当てが、一方の耳を受け入れるようなサイズ及び寸法の前記空洞を少なくとも部分的に形成する、弾性又は整合的な環状メンブレンを更に含む、請求項１から４のいずれか一項に記載の装置。
【請求項８】
前記第１の耳当てが、前記第１の洗浄剤リザーバを形成する第１のシェルと、前記第１の排出物収集リザーバを形成する第２のシェルと、を更に含む、請求項１から４のいずれか一項に記載の装置。
【請求項９】
前記第１の排出物収集リザーバが、前記第１の洗浄剤リザーバに関して選択的に脱着可能である、請求項８に記載の装置。
【請求項１０】
前記第１の洗浄剤リザーバが、前記第１の排出物収集リザーバに関して選択的に脱着可能である、請求項８に記載の装置。
【請求項１１】
前記第１の耳当てが、前記第２のシェルに対して脱着式に固定可能であり、前記第２のシェルとともに前記第１の排出物収集リザーバを形成する第１のカバーを更に含む、請求項８に記載の装置。
【請求項１２】
前記第１の耳当てが、前記第１のシェルに対して脱着式に固定可能であり、前記第１のシェルとともに前記第１の洗浄剤リザーバを形成する第２のカバーを更に含む、請求項１１に記載の装置。
【請求項１３】
前記第１の耳当てが、前記第１の排出物収集リザーバと前記第１の洗浄剤リザーバが選択的に脱着可能な第１のハウジングを更に含む、請求項１から４のいずれか一項に記載の装置。
【請求項１４】
前記第１の耳当てが、前記第１の洗浄リザーバを前記第１のハウジングに脱着式に磁気的に連結する第１の対の強磁性連結器を更に含む、請求項１３に記載の装置。
【請求項１５】
前記第１の耳当てが、前記第１の排出物収集リザーバを前記第１のハウジングに脱着式に磁気的に連結する第２の対の強磁性連結器を更に含む、請求項１４に記載の装置。
【請求項１６】
前記第１の耳当てが、前記第１の洗浄液流体連絡経路に沿って前記洗浄剤リザーバから前記第１のカニューレ連結器インターフェースに向かって洗浄剤を移動させるように流体で連結された少なくとも１つのポンプアセンブリを更に含む、請求項１から４のいずれか一項に記載の装置。
【請求項１７】
前記第１の耳当てが、前記第１の排出物流体連絡経路に沿って前記第１のカニューレ連結器インターフェースから前記第１の排出物収集リザーバに向かって排出物を移動させるために負圧を加えるように流体で連結された少なくとも１つのポンプアセンブリを更に含む、請求項１から４のいずれか一項に記載の装置。
【請求項１８】
前記第１の耳当てが、第１のハウジングと、前記第１の洗浄液流体連絡経路又は前記排出物流体連絡経路のうちの少なくとも１つに流体で連結された少なくとも１つのポンプアセンブリと、前記第１のハウジングに収容され、前記少なくとも１つのポンプアセンブリを制御するように通信可能に連結された第１のセットのコントローラ回路と、を更に含む、請求項１から４のいずれか一項に記載の装置。
【請求項１９】
前記装置の外部からアクセス可能ないくつかのユーザ実行可能選択可能制御部を更に含み、
前記ユーザ実行可能選択可能制御部が、前記少なくとも１つのポンプアセンブリを制御するように通信可能に連結された前記第１のセットのコントローラ回路に通信可能に連結される、請求項１８に記載の装置。
【請求項２０】
前記第１の耳当てが、
近接端及び遠位端と、
前記近接端に位置決めされた灌注インレットポートと、
前記近接端に位置決めされた排出物収集アウトレットポートと、
前記灌注インレットポートに関して比較的前記遠位端に向かって位置決めされた複数の灌注アウトレットアパーチャであって、前記灌注インレットポートと流体で連絡している、灌注アウトレットアパーチャと、
前記排出物収集アウトレットポートに関して比較的前記遠位端に向かって位置決めされた排出物収集インレットポートであって、前記排出物収集アウトレットポートと流体で連絡している、排出物収集インレットポートと、
を有する使い捨てカニューレを更に含む、請求項１から４のいずれか一項に記載の装置。
【請求項２１】
前記使い捨てカニューレが、前記排出物収集インレットポートと前記排出物収集アウトレットポートとの間に伸びる流路と、前記排出物収集インレットポートと前記排出物収集アウトレットポートとの間の流路内に位置決めされたトラップと、を更に含む、請求項２０に記載の装置。
【請求項２２】
第１のプロセッサと、
前記第１のプロセッサに通信可能に連結された第１の非一時的コンピュータ可読媒体と、を更に含み、
前記第１の非一時的コンピュータ可読媒体が、
前記少なくとも１つのポンプアセンブリに対して、前記第１の洗浄液流体連絡経路に沿って前記第１の洗浄剤リザーバから第１の量の洗浄液を分配させ、前記第１の排出物流体連絡経路の少なくとも一部分に沿って負圧を発生させるいくつかの信号を前記少なくとも１つのポンプに提供するように前記第１のプロセッサを明確にプログラムする第１のプロセッサ実行可能命令を記憶する、請求項１から４のいずれか一項に記載の装置。
【請求項２３】
前記第１のプロセッサ実行可能命令が、前記負圧の発生から第１の期間の間、前記第１の量の洗浄液の分配を時間遅延するように前記第１のプロセッサを明確にプログラムする、請求項２２に記載の装置。
【請求項２４】
前記第１のプロセッサ実行可能命令が、前記少なくとも１つのポンプアセンブリに約２秒の期間にわたり前記第１の量の洗浄液を分配させるように前記第１のプロセッサを明確にプログラムする、請求項２２に記載の装置。
【請求項２５】
前記第１の洗浄剤リザーバ及び前記第１の排出物収集リザーバのうちの少なくとも１つが、使い捨てである、請求項１に記載の装置。
【請求項２６】
前記第１の洗浄剤リザーバが、使い捨てであり、
前記第１の排出物収集リザーバが、使い捨てであり、
前記使い捨ての第１の洗浄剤リザーバ及び前記使い捨ての第１の排出物収集リザーバが、単体の本体を形成する、請求項２５に記載の装置。
【請求項２７】
前記第１の洗浄剤リザーバが、わずか１灌注サイクル分の洗浄剤を収容する、請求項２６に記載の装置。
【請求項２８】
リザーバシェルを更に含み、
前記リザーバシェルが、前記使い捨ての第１の洗浄剤リザーバ及び前記使い捨ての第１の排出物収集リザーバのうちの少なくとも１つを受け入れるための少なくとも第１のリザーバ空洞を備える、請求項２５に記載の装置。
【請求項２９】
前記リザーバシェルが、第２のリザーバ空洞を含み、
前記第１のリザーバ空洞が、前記使い捨ての第１の洗浄剤リザーバを選択的に物理的に脱着式に保持するようなサイズ及び形状であり、
前記第２のリザーバ空洞が、前記使い捨ての第１の排出物収集リザーバを選択的に物理的に脱着式に保持するようなサイズ及び寸法である、請求項２８に記載の装置。
【請求項３０】
前記リザーバシェルが、前記リザーバシェルの内部部分を前記第１のリザーバ空洞と前記第２のリザーバ空洞に分割する内壁を更に含む、請求項２９に記載の装置。
【請求項３１】
前記第１の洗浄剤リザーバが、使い捨てであり、
前記使い捨ての第１の洗浄剤リザーバが、洗浄剤リザーバポートを含み、
前記洗浄剤リザーバポートが、前記使い捨ての第１の洗浄剤リザーバが前記耳当て上に取り付けられた時に前記第１の洗浄液流体連絡経路と選択的に脱着式に物理的に噛み合うような位置及び寸法である、請求項２５に記載の装置。
【請求項３２】
前記使い捨ての第１の洗浄剤リザーバが、中空エンクロージャのための境界を示す前面及び背面を含み、
前記使い捨ての第１の洗浄剤リザーバの前記前面が、前記洗浄剤リザーバポートが位置する少なくとも１つのへこみを有する、請求項３１に記載の装置。
【請求項３３】
前記第１の排出物収集リザーバが、使い捨てであり、
前記使い捨ての第１の排出物収集リザーバが、排出物収集リザーバポートを含み、
前記排出物収集リザーバポートが、前記使い捨ての第１の排出物収集リザーバが前記耳当て上に取り付けられた時に前記第１の排出物流体連絡経路と選択的に脱着式に物理的に噛み合うような位置及び寸法である、請求項２５に記載の装置。
【請求項３４】
負圧を発生するための真空ポンプアセンブリを更に含み、
前記使い捨ての第１の排出物収集リザーバが、中空エンクロージャのための境界を示す前面及び背面を含み、
前記使い捨ての第１の排出物収集リザーバの前記前面が、少なくとも第１のポート及び第２のポートを有し、
前記第１のポートが、前記第１の排出物流体連絡経路と選択的に脱着式に物理的に噛み合うような位置及び寸法であり、
前記第２のポートが、前記使い捨ての第１の排出物収集リザーバが前記耳当て上に取り付けられた時に前記真空ポンプアセンブリと選択的に脱着式に物理的に噛み合うような位置及び寸法である、請求項３３に記載の装置。
【請求項３５】
人の耳の外耳道を灌注するための装置内の耳当てのための使い捨てリザーバであって、
前記耳当てが、カニューレが選択的に脱着式に物理的に連結可能である第１のカニューレ連結器インターフェースと、前記第１のカニューレ連結器インターフェースへの流体連絡を提供する第１の洗浄液流体連絡経路と、前記第１のカニューレ連結器インターフェースへの流体連絡を提供する第１の排出物流体連絡経路と、を含み、
前記使い捨てリザーバが、
前面と、
背面と、を含み、
前記前面及び前記背面が、前記使い捨てリザーバの中空エンクロージャのための境界を示し、
前記背面が、中空シェルによって形成された空洞の形状に対してサイズ及び寸法の点で補完的な形状を有し、
前記中空シェルが、前記耳当てに取り付けられるものであり、
前記使い捨てリザーバの前記前面が、前記中空シェルが前記耳当てに取り付けられた時に前記第１の洗浄液流体連絡経路及び前記第１の排出物流体連絡経路のうちの少なくとも１つと選択的に脱着式に物理的に噛み合う少なくとも１つのポートを有する、使い捨てリザーバ。
【請求項３６】
前記使い捨てリザーバが、第１のセクションと第２のセクションに分割され、
前記第１のセクションと前記第２のセクションが、互いに流体で分離され、
前記使い捨てリザーバの前記前面が、前記中空シェルが前記耳当て上に取り付けられた時に前記第１の洗浄液流体連絡経路と選択的に脱着式に物理的に噛み合う第１のポートを有し、
前記第１のポートが、前記第１のセクションに至るものであり、
前記使い捨てリザーバの前記前面が、前記中空シェルが前記耳当て上に取り付けられた時に前記第１の排出物流体連絡経路と選択的に脱着式に物理的に噛み合う第２のポートを含み、
前記第２のポートが、前記第２のセクションに至るものである、請求項３５に記載の使い捨てリザーバ。
【請求項３７】
前記耳当てが負圧を発生するための真空ポンプアセンブリを更に含み、
前記使い捨ての第１の洗浄剤リザーバの前記前面が、第３のポートを更に含み、
前記第３のポートが、前記真空ポンプアセンブリに選択的に脱着式に流体で連結するものであり、
前記真空ポンプアセンブリが、前記第１の排出物流体連絡経路に沿って前記第１のカニューレ連結器インターフェースから前記使い捨てリザーバの前記前面の前記第２のポートに向かって排出物を移動させるために負圧を加えるものである、請求項３６に記載の使い捨てリザーバ。
【請求項３８】
本体を含み、
前記本体が、長さと近位端と遠位端とを有し、
前記遠位端が、前記本体の前記長さを越えて前記近位端と向かい合い、
前記本体が、前記近位端に位置決めされた灌注インレットポートと、前記近位端に位置決めされた排出物収集アウトレットポートと、前記灌注インレットポートに関して比較的前記遠位端に向かって位置決めされた複数の灌注アウトレットアパーチャと、前記遠位端に位置決めされた排出物収集インレットポートと、を更に有し、
前記本体が、前記灌注インレットポートと前記複数の灌注アウトレットアパーチャとの間の少なくとも１つの灌注流路を提供する少なくとも１つの灌注通路と、前記排出物収集インレットポートと前記排出物収集アウトレットポートとの間に伸びる少なくとも１つの排出物流路を提供する少なくとも１つの排出物収集通路と、前記少なくとも１つの排出物流路内で前記排出物収集インレットポートと前記排出物収集アウトレットポートとの間の前記排出物通路内に位置決めされた少なくとも１つのトラップと、を更に有する、
カニューレ。
【請求項３９】
前記本体が、耳当ての補完インターフェースに取り外し可能に物理的に連結し、前記カニューレの前記灌注インレットポートを前記耳当ての洗浄剤ポートと位置合わせし、同時に、前記カニューレが前記耳当てに物理的に連結された時に前記排出物収集アウトレットポートを前記耳当ての真空ポートと位置合わせするようなサイズ及び寸法のインターフェースを更に含む、請求項３８に記載のカニューレ。
【請求項４０】
前記少なくとも１つのトラップが、少なくとも部分的に前記排出物収集通路を横切って伸びるフィルタである、請求項３８に記載のカニューレ。
【請求項４１】
前記排出物収集通路が、内周を有し、
前記少なくとも１つのトラップが、前記排出物収集通路の中心軸に向かって前記排出物収集通路の前記内周から半径方向に内向きに伸びる複数の突起部を含む、請求項３８に記載のカニューレ。
【請求項４２】
前記少なくとも１つのトラップが、ある量の液体及び空気のうちの少なくとも一方を通す間に少なくとも１つの定義済み寸法の物理的デブリをトラップするようなサイズ及び寸法である、請求項３８に記載のカニューレ。
【請求項４３】
前記複数の灌注アウトレットアパーチャが、前記遠位端に近接して少なくとも３つの灌注アウトレットアパーチャを含む、請求項３８に記載のカニューレ。
【請求項４４】
前記少なくとも３つの灌注アウトレットアパーチャのうちの少なくとも１つが、前記少なくとも３つの灌注アウトレットアパーチャのうちの少なくとも１つから出る洗浄剤の流れを前記カニューレの前記遠位端から半径方向に外向きに誘導するようなサイズ及び形状である、請求項４３に記載のカニューレ。
【請求項４５】
前記近位端が、それぞれの断面領域を有し、
前記遠位端が、それぞれの断面領域を有し、
前記遠位端の前記断面領域が、前記近位端の前記断面領域より小さく、
前記カニューレの前記本体が、前記遠位端に向かって前記近位端から先細になる、請求項３８に記載のカニューレ。
【請求項４６】
前記先細型の本体が、側壁を有し、鼓膜に至る人の耳道内に前記カニューレが挿入された時に前記カニューレの前記遠位端が前記鼓膜に衝突する前に前記カニューレの前記本体の一部分が前記人の耳道の前記側壁に衝突するようなサイズ及び形状である、請求項４５に記載のカニューレ。
【請求項４７】
前記カニューレの前記本体が、円錐形の形状を形成し、
前記遠位端が、斜角を付けた部分を含む、請求項４５に記載のカニューレ。
【請求項４８】
前記近位端が、外径を備えた内壁と内径を備えた外壁とを含み、
前記内壁及び前記外壁が、前記内壁の前記外径と前記外壁の前記内径との間に耳当ての補完インターフェースを取り外し可能に確実に係合するようなサイズ及び形状である、請求項３８に記載のカニューレ。
【請求項４９】
前記本体が、単体のシングルピースプラスチック本体であり、回転体である形式を有する、請求項３８に記載のカニューレ。
【請求項５０】
前記灌注インレットポートが、前記排出物収集アウトレットポートから半径方向にオフセットされる、請求項３８に記載のカニューレ。
【請求項５１】
前記本体が、中心軸／縦軸を有し、
前記排出物収集インレットポートが、前記中心軸／縦軸の周りに配置される、請求項３８に記載のカニューレ。
【請求項５２】
前記本体が、中心軸／縦軸を有し、
前記灌注アウトレットアパーチャが、前記中心軸／縦軸から外向きに半径方向にオフセットされる、請求項３８に記載のカニューレ。
【発明の詳細な説明】
【技術分野】
【０００１】
本発明は一般に装着式耳洗浄装置を提供することに関する。
【背景技術】
【０００２】
耳垢（cerumen）としても知られる耳あか（ear wax）は、人の耳道の外側部分に自然に形成され、耳道を保護し潤滑する働きをする。人の顎の動きは古い耳あかが耳道の外側に向かって移動するのを支援し、そこで耳あかは乾燥し剥がれ落ちる。残念なことに、耳あかは、人の聴覚に影響を及ぼす程度まで耳道内に蓄積する可能性がある。その上、人によっては、綿棒などの装置で自分の耳を掃除しようと試み、それが一般に鼓膜に向かって耳道内のより深いところに耳あかを押し込む。このため、綿棒で耳道を掃除しようという試みは実際には、実質的な恩恵を提供せずに人の聴覚を害する可能性がある。
【発明の概要】
【発明が解決しようとする課題】
【０００３】
耳道を洗浄するために、生食、過酸化水素、及び／又は水の混合物を使用して、耳道を灌注し、耳あかの過剰な蓄積を除去する。しかしながら、耳道の灌注は、医師を訪問し、操作するのに複数の人を必要とする装置の使用が必要になる可能性がある。加えて、耳道を灌注するために使用される装置及び技法の結果、使用された洗浄剤又は洗浄液が通常流された耳あかを運んで耳道から出て、患者に影響を及ぼす可能性がある。
【課題を解決するための手段】
【０００４】
人の耳の外耳道を灌注するための装置は、一方の人の耳を受け入れるようなサイズ及び寸法の空洞を有し、人の耳の上に装着されるようなサイズ及び寸法の第１の耳当て（over-ear earpiece）を含み、第１の耳当ては、洗浄剤を保持するための第１の洗浄剤リザーバと、灌注からの排出物を収集するための第１の排出物収集リザーバと、カニューレが選択的に脱着式に物理的に連結可能な第１のカニューレ連結器インターフェースと、第１の洗浄剤リザーバと第１のカニューレ連結器インターフェースとの間の流体連絡を提供する第１の洗浄液流体連絡経路と、第１の排出物収集リザーバと第１のカニューレ連結器インターフェースとの間の流体連絡を提供する第１の排出物流体連絡経路とを含むものとして要約することができる。
【０００５】
この装置は、一方の人の耳を受け入れるようなサイズ及び寸法の空洞を有し、人の耳の上に装着されるようなサイズ及び寸法の第２の耳当てを更に含むことができ、第２の耳当ては、洗浄剤を保持するための第２の洗浄剤リザーバと、灌注からの排出物を収集するための第２の排出物収集リザーバと、カニューレが選択的に脱着式に物理的に連結可能な第２のカニューレ連結器インターフェースと、第２の洗浄剤リザーバと第２のカニューレ連結器インターフェースとの間の流体連絡を提供する第２の洗浄液流体連絡経路と、第２の排出物収集リザーバと第２のカニューレ連結器インターフェースとの間の流体連絡を提供する第２の排出物流体連絡経路とを含む。
【０００６】
この装置は、互いに間隔をあけて離れた状態で第１の耳当てと第２の耳当てを調節可能に接続する調節可能ヘッドストラップを更に含むことができ、調節可能ヘッドストラップは、第１の耳当てが第１の耳の上に位置決めされ、第２の耳当てが第２の耳の上に位置決めされた状態で人の頭の上に装着されるようなサイズ及び寸法である。
【０００７】
この装置は、第１の軸の周りを旋回するように第１の耳当てを調節可能ヘッドストラップに旋回式に連結する少なくとも第１の座付連結器と、第２の軸の周りを旋回するように第２の耳当てを調節可能ヘッドストラップに旋回式に連結する少なくとも第２の座付連結器とを更に含むことができ、第１及び第２の軸は第１及び第２の耳当てのそれぞれのカニューレ連結器インターフェースの間に伸びる軸に対して垂直である。
【０００８】
第１の洗浄剤リザーバはポートを有することができ、第１の排出物収集リザーバはポートを有することができ、第１の耳当ては第１のハウジングを更に含むことができ、第１のハウジングは第１のハウジングの内部を形成する皿状部と蓋部とを含み、第１のハウジングを通って伸び、第１の洗浄剤リザーバのポートと位置合わせされ、それと噛み合うようなサイズ及び寸法である第１の通路と、第１のハウジングを通って伸び、第１の排出物収集リザーバのポートと位置合わせされ、それと噛み合うようなサイズ及び寸法である第２の通路とを備え、第１のハウジングの内部は第１及び第２の通路からシールされる。
【０００９】
第１の耳当ては第１の環状ブラケットを更に含むことができ、第１の環状ブラケットは調節可能ヘッドストラップに旋回式に連結され、第１のハウジングは第１の環状ブラケットに選択的に脱着式に連結される。
【００１０】
第１の耳当ては、一方の耳を受け入れるようなサイズ及び寸法の空洞を少なくとも部分的に形成する、弾性又は整合的な環状メンブレンを更に含むことができる。
【００１１】
第１の耳当ては、第１の洗浄剤リザーバを形成する第１のシェルと、第１の排出物収集リザーバを形成する第２のシェルとを更に含むことができる。第１の排出物収集リザーバは第１の洗浄剤リザーバに関して選択的に脱着可能にすることができる。第１の洗浄剤リザーバは第１の排出物収集リザーバに関して選択的に脱着可能にすることができる。
【００１２】
第１の耳当ては、第２のシェルに対して脱着式に固定可能であり、第２のシェルとともに第１の排出物収集リザーバを形成する、第１のカバーを更に含むことができる。
【００１３】
第１の耳当ては、第１のシェルに対して脱着式に固定可能であり、第１のシェルとともに第１の洗浄剤リザーバを形成する、第２のカバーを更に含むことができる。
【００１４】
第１の耳当ては、第１の排出物収集リザーバと第１の洗浄剤リザーバが選択的に脱着可能な第１のハウジングを更に含むことができる。
【００１５】
第１の耳当ては、第１の洗浄リザーバを第１のハウジングに脱着式に磁気的に連結する第１の対の強磁性連結器を更に含むことができる。
【００１６】
第１の耳当ては、第１の排出物収集リザーバを第１のハウジングに脱着式に磁気的に連結する第２の対の強磁性連結器を更に含むことができる。
【００１７】
第１の耳当ては、第１の洗浄液流体連絡経路に沿って洗浄剤リザーバから第１のカニューレ連結器インターフェースに向かって洗浄剤を移動させるように流体で連結された少なくとも１つのポンプを更に含むことができる。
【００１８】
第１の耳当ては、第１の排出物流体連絡経路に沿って第１のカニューレ連結器インターフェースから第１の排出物収集リザーバに向かって排出物を移動させるために負圧を加えるように流体で連結された少なくとも１つのポンプを更に含むことができる。
【００１９】
第１の耳当ては、第１のハウジングと、第１の洗浄液流体連絡経路又は排出物流体連絡経路のうちの少なくとも１つに流体で連結された少なくとも１つのポンプと、第１のハウジングに収容され、少なくとも１つのポンプを制御するように通信可能に連結された第１のセットのコントローラ回路とを更に含むことができる。
【００２０】
第１の耳当ては、第１の耳当ての外部からアクセス可能ないくつかのユーザ実行可能選択可能制御部（user-actable selectable control）を更に含むことができ、ユーザ実行可能選択可能制御部は少なくとも１つのポンプを制御するように通信可能に連結された第１のセットのコントローラ回路に通信可能に連結される。
【００２１】
第１の耳当ては、近接端及び遠位端と、近接端に位置決めされた灌注インレットポートと、近接端に位置決めされた排出物収集アウトレットポートと、灌注インレットポートに関して比較的遠位端に向かって位置決めされた複数の灌注アウトレットアパーチャであって、灌注インレットポートと流体で連絡している灌注アウトレットアパーチャと、排出物収集アウトレットポートに関して比較的遠位端に向かって位置決めされた排出物収集インレットポートであって、排出物アウトレットポートと流体で連絡している排出物収集インレットポートとを有する、使い捨てカニューレを更に含むことができる。
【００２２】
使い捨てカニューレは、排出物収集インレットポートと排出物収集アウトレットポートとの間に伸びる流路と、排出物収集インレットポートと排出物収集アウトレットポートとの間の流路内に位置決めされたトラップとを更に含むことができる。
【００２３】
この装置は、第１のプロセッサと、第１のプロセッサに通信可能に連結された第１の非一時的コンピュータ可読媒体とを更に含むことができ、第１の非一時的コンピュータ可読媒体は、少なくとも１つのポンプにより第１の洗浄液流体連絡経路に沿って第１の洗浄剤リザーバから第１の量の洗浄液を分配させ、第１の排出物流体連絡経路の少なくとも一部分に沿って負圧を発生させるいくつかの信号を少なくとも１つのポンプに提供するように第１のプロセッサを明確にプログラムする第１のプロセッサ実行可能命令を記憶する。第１のプロセッサ実行可能命令は、第１の量の洗浄液の分配から第１の期間の間、負圧の発生を時間遅延するように第１のプロセッサを明確にプログラムすることができる。第１のプロセッサ実行可能命令は、第１の量の洗浄液の分配から少なくとも１分の間、負圧の発生を時間遅延するように第１のプロセッサを明確にプログラムすることができる。
【００２４】
カニューレは、本体を含み、本体が長さと近位端と遠位端とを有し、遠位端が本体の長さを越えて近位端と向かい合い、本体が近位端に位置決めされた灌注インレットポートと、近位端に位置決めされた排出物収集アウトレットポートと、灌注インレットポートに関して比較的遠位端に向かって位置決めされた複数の灌注アウトレットアパーチャと、遠位端に位置決めされた排出物収集インレットポートとを更に有し、本体が灌注インレットポートと複数の灌注アウトレットアパーチャとの間の少なくとも１つの灌注流路を提供する少なくとも１つの灌注通路と、排出物収集インレットポートと排出物収集アウトレットポートとの間に伸びる少なくとも１つの排出物流路を提供する少なくとも１つの排出物収集通路と、少なくとも１つの排出物流路内で排出物収集インレットポートと排出物収集アウトレットポートとの間の排出物通路内に位置決めされた少なくとも１つのトラップとを更に有するものとして要約することができる。
【００２５】
本体は、耳当ての補完インターフェースに取り外し可能に物理的に連結し、カニューレの灌注インレットポートを耳当ての洗浄剤ポートと位置合わせし、同時に、カニューレが耳当てに物理的に連結された時に排出物収集アウトレットポートを耳当ての真空ポートと位置合わせするようなサイズ及び寸法のインターフェースを更に含むことができる。少なくとも１つのトラップは、少なくとも部分的に排出物収集通路を横切って伸びるフィルタにすることができる。排出物収集通路は内周を有することができ、そこで少なくとも１つのトラップは排出物収集通路の中心軸に向かって排出物収集通路の内周から半径方向に内向きに伸びる複数の突起部を含むことができる。少なくとも１つのトラップは、ある量の液体及び空気のうちの少なくとも一方を通す間に少なくとも１つの定義済み寸法の物理的デブリをトラップするようなサイズ及び寸法にすることができる。複数の灌注アウトレットアパーチャは、遠位端に近接して少なくとも３つの灌注アウトレットアパーチャを含むことができる。少なくとも３つの灌注アウトレットアパーチャのうちの少なくとも１つは、少なくとも３つの灌注アウトレットアパーチャのうちの少なくとも１つから出る洗浄剤の流れをカニューレの遠位端から半径方向に外向きに誘導するようなサイズ及び形状にすることができる。近位端はそれぞれの断面領域を有することができ、遠位端はそれぞれの断面領域を有することができ、遠位端の断面領域は近位端の断面領域より小さくすることができ、カニューレの本体は遠位端に向かって近位端から先細にすることができる。先細型の本体は、側壁を有し、鼓膜に至る人の耳道内にカニューレが挿入された時にカニューレの遠位端が鼓膜に衝突する前にカニューレの本体の一部分が人の耳道の側壁に衝突するようなサイズ及び形状にすることができる。カニューレの本体は円錐形の形状を形成することができ、遠位端は斜角を付けた部分を含むことができる。近位端は外径を備えた内壁と内径を備えた外壁とを含むことができ、内壁及び外壁は、内壁の外径と外壁の内径との間に耳当ての補完インターフェースを取り外し可能に確実に係合するようなサイズ及び形状にすることができる。本体は、単体のシングルピースプラスチック本体にすることができ、回転体である形式を有することができる。灌注インレットポートは、排出物収集アウトレットポートから半径方向にオフセットすることができる。本体は中心軸／縦軸を有することができ、排出物収集インレットポートは中心軸／縦軸の周りに配置することができる。本体は中心軸／縦軸を有することができ、灌注アウトレットアパーチャは中心軸／縦軸から外向きに半径方向にオフセットすることができる。
【００２６】
図面では、同一の参照番号は同様の要素又は行為を識別する。図面内の要素のサイズ及び相対位置は必ずしも一定の縮尺で描かれているわけではない。例えば、様々な要素の形状及び角度は必ずしも一定の縮尺で描かれているわけではなく、これらの要素のいくつかは、図面の可読性を改善するために任意に拡大され、位置決めされている。更に、描かれている要素の特定の形状は必ずしも、その特定の要素の実際の形状に関する情報を伝達するためのものではなく、単に図面内で認識しやすくするために選択されたものである。
【図面の簡単な説明】
【００２７】
【図１Ａ】少なくとも１つの例示された実施形態による灌注装置の等角図である。
【図１Ｂ】少なくとも１つの例示された実施形態による耳当ての等角図である。
【図２Ａ】少なくとも１つの例示された実施形態による灌注装置の１つの耳当ての分解図である。
【図２Ｂ】少なくとも１つの例示された実施形態により、長方形の形状因子を有する耳当ての等角図である。
【図３Ａ】少なくとも１つの例示された実施形態により、耳当てのコンポーネントとして含むことができる皿状部の第１の側面の等角図である。
【図３Ｂ】少なくとも１つの例示された実施形態による図３Ａの皿状部の第２の側面の等角図である。
【図４】少なくとも１つの例示された実施形態により、耳当てのコンポーネントとして含むことができる蓋部の等角図である。
【図５】少なくとも１つの例示された実施形態による耳当ての洗浄剤リザーバの等角図である。
【図６】少なくとも１つの例示された実施形態による耳当ての排出物リザーバの等角図である。
【図７Ａ】少なくとも１つの例示された実施形態による耳当ての使い捨て洗浄剤リザーバの等角図である。
【図７Ｂ】少なくとも１つの例示された実施形態による耳当ての使い捨て排出物収集リザーバの等角図である。
【図７Ｃ】少なくとも１つの例示された実施形態により、そのうちの一方が使い捨て洗浄剤リザーバを保持するようなサイズ及び寸法であり、そのうちのもう一方が使い捨て排出物収集リザーバを保持するようなサイズ及び寸法である、２つの空洞に分割されたシェルの等角図である。
【図７Ｄ】少なくとも１つの例示された実施形態により、使い捨て洗浄剤リザーバ及び使い捨て排出物収集リザーバのための別個のセクションを含む単体の使い捨て容器の等角図である。
【図８】灌注装置とともに又はその一部として使用可能な、一実施形態によるカニューレの側面平面図である。
【図９】そこから洗浄剤がカニューレを出て、排出物がカニューレに入る先端部を示す、図７のカニューレの前部側面等角図である。
【図１０】図７のカニューレの後部側面等角図である。
【図１１】耳当て上のカニューレ連結器インターフェースにカニューレを連結するために使用されるインターフェースを含む、図７のカニューレの後部平面図である。
【図１２】カニューレの内部内の灌注通路及び排出物収集通路の経路を示す、図７のカニューレの透明側面後部等角図である。
【図１３】灌注装置とともに又はその一部として使用可能な、１つの例示された実施形態によるコントローラ回路及び電源のブロック図である。
【図１４】少なくとも１つの例示された実施形態によるユーザ実行可能選択可能制御部の一例を示している。
【図１５】少なくとも１つの例示された実施形態により、灌注装置を操作するためのユーザ実行可能選択可能制御部のセットのフローダイヤグラムを提供する。
【発明を実施するための形態】
【００２８】
以下の説明では、様々な開示されている実施形態の徹底的な理解を提供するために、特定の具体的な詳細が明記されている。しかしながら、当業者であれば、これらの具体的な詳細のうちの１つ以上がなくても又はその他の方法、コンポーネント、材料などにより、実施形態を実践できることを認識するであろう。その他の事例では、洗浄溶液中の様々な成分及びこのような成分の比率を含む、耳洗浄に関連する構造及び溶液は、諸実施形態の説明を不必要に曖昧にするのを回避するために詳細に図示又は記載されていない。
【００２９】
文脈がそうではない場合を要求しない限り、以下に示す明細書及び特許請求の範囲全体を通して、「comprise」という単語並びに「comprises」及び「comprising」などのその変形は、制限のない包括的な意味で、即ち、「including, but not limited to（限定されずに含む）」として解釈すべきである。
【００３０】
本明細書全体を通して「one implementation」又は「an implementation」に対する言及は、１つ以上の実施形態に関連して記載されている特定の特徴、構造、又は特性が少なくとも１つ以上の実施形態に含まれることを意味する。従って、本明細書全体を通して様々な箇所に「in one implementation」又は「in an implementation」という語句が出現しても必ずしもすべて同じ実施形態に言及しているわけではない。更に、特定の特徴、構造、又は特性は１つ以上の実施形態において任意の適切なやり方で組み合わせることができる。
【００３１】
本明細書及び特許請求の範囲で使用する「a」、「an」、及び「the」という単数形は、文脈が明らかにそうではない場合を示さない限り、複数の指示物を含む。また、「or」という用語は一般に、文脈が明らかにそうではない場合を示さない限り、「and/or」を含む意味で使用されることに留意されたい。
【００３２】
本明細書で提供される見出し及び要約書は、便宜上のみのものであり、諸実施形態の範囲又は意味を解釈するものではない。
【００３３】
図１Ａは、少なくとも１つの例示された実施形態により、人の頭の上に装着できる灌注装置１００を示している。灌注装置１００は、第１及び第２の耳当て１０１ａ、１０１ｂ（総称的に「耳当て１０１」）と、調節可能ヘッドストラップ１０３と、それぞれのカニューレ連結器インターフェース１０６ａ、１０６ｂに接続された第１及び第２のカニューレ１０５ａ、１０５ｂ（総称的に「カニューレ１０５」）（図１Ａでは１つのみ見えている）とを含む。図１Ｂは耳当て１０１をより詳細に示している。
【００３４】
いくつかの実施形態では、灌注装置１００は、第１の耳当て１０１ａがユーザの右耳の上にフィットし、第２の耳当て１０１ｂがユーザの左耳の上にフィットするようなサイズ及び形状にすることができる。それぞれの耳当ては、灌注装置１００を装着しているユーザが直立姿勢である時に地面に対して実質的に垂直な垂直軸１０２と、灌注装置１００を装着しているユーザが直立姿勢である時に地面に対して実質的に平行な水平軸１０４とを有することができる。参照しやすくするために直立姿勢に関して述べられているが、ユーザは必ずしも灌注装置１００の使用中に直立姿勢である必要はないことは注目に値する。
【００３５】
それぞれの耳当て１０１は内部側面１０７と対向する外部側面１０９とを含むことができ、内部側面１０７はユーザが灌注装置１００を装着する時にユーザの頭の側面に向かって向けられ、そこに隣接している。それぞれの耳当て１０１は、内部側面１０７と外部側面１０９との間に伸びる外周部１１３を有することができる。外周部１１３は、耳当て１０１がある範囲の耳の形状を囲い込めるようなサイズ及び形状にすることができる。いくつかの実施形態では、耳当て１０１の外周部１１３は、実質的に円形、卵形、及び／又は楕円形の形状にすることができる。いくつかの実施形態では、耳当て１０１は、灌注装置１００に電力及び／又は通信を提供するために使用できるポート１１４を含むことができる。例えば、１つ以上の物理的コネクタ（例えばＵＳＢコネクタ）を接続し、それにより灌注装置内の内部バッテリを充電することにより、充電を達成することができる。いくつかの実施形態では、ポート１１４は、電磁結合により内部バッテリを充電できるようにすることができる。いくつかの実施形態では、耳当て１０１のうちの１つのみがポート１１４を含む可能性がある。いくつかの実施形態では、耳当て１０１のそれぞれは、例えば、調節可能ヘッドストラップ１０３内を貫通する１つ以上の電気接続部を解して電気的に連結することができる。
【００３６】
耳当て１０１は、耳当て１０１の外周部１１３で又はそれに近接して内部側面１０７上に位置決めされた環状メンブレン１１１を含むことができる。いくつかの実施形態では、環状メンブレン１１１は、内壁１１５が外壁１１７と同心であり、外壁１１７によって完全に囲い込まれるような距離１１９だけ分離された内壁１１５と外壁１１７とを有する。内壁１１５と外壁１１７は、距離１１９を横断するリム１２１によって接続することができる。いくつかの実施形態では、リム１２１は、図１に示されているように、耳当て１０１から外向きに離れるように湾曲する表面にすることができる。いくつかの実施形態では、環状メンブレン１１１は、固体トーラスの一部分（例えばドーナツの上半分）に類似するようなサイズ及び形状にすることができる。このような湾曲した又は部分的にトロイドの表面は、耳当て１０１を装着した時のユーザの快適さを増すために使用することができる。いくつかの実施形態では、リム１２１は、内壁１１５及び外壁１１７のうちの一方又は両方に対して垂直である、実質的に平らな表面を形成することができる。
【００３７】
いくつかの実施形態では、環状メンブレン１１１は、それに対して力が加えられた時に圧縮するクッション付き材料で作ることができる。このような材料としては、例えば、プラスチック、皮革、又は合成皮革材料の外部カバーを含むことができる、エラストマ、独立気泡発泡体（例えばポリウレタン）、連続気泡発泡体、袋に入れたゲル、シリコーン、及び／又はゴムを含むことができる。いくつかの実施形態では、環状メンブレン１１１は、その寿命及び耐久性を増すために弾性材料で構成することができる。このようなクッション付き材料及び／又は弾性材料は、灌注装置１００を装着した時にユーザにより快適なフィットを提供するために使用することができる。いくつかの実施形態では、クッション付き材料は、灌注装置１００が使用中の時にユーザの頭の側面の形状に適合することができる。このため、クッション付き材料は、それによりユーザの頭に対するシールを形成して、灌注手順中にカニューレ１０５及び／又はユーザの耳道から漏れ出る洗浄剤をトラップすることができる。環状メンブレン１１１は、例えば、エラストマベースの材料で構成することができる。いくつかの実施形態では、環状メンブレン１１１は、少なくとも部分的にエラストマベースの材料で構成されるコアと、湿った時に劣化しないプラスチック又はその他の合成材料など、周囲の環境からコアを保護する材料で構成できる対応するカバーとで形成することができる。いくつかの実施形態では、環状メンブレン１１１は、耳当て１０１から脱着式に取り外すことができ、従って、灌注装置１００の使用後、毎回、交換することができる。
【００３８】
環状メンブレン１１１の内壁１１５は、ユーザの耳の一方を囲い込んで受け入れるようなサイズ及び形状の空洞１２３を形成する。環状メンブレン１１１及び空洞１２３のサイズ及び形状は、ユーザが灌注装置１００を装着している時にユーザの耳道内にカニューレ１０５を位置決めするために更に使用することができる。いくつかの実施形態では、空洞１２３は、円筒形の形状であり、カニューレ１０５を空洞１２３の中心軸１２４に沿って配向させることができる。いくつかの実施形態では、空洞１２３は、内壁１１５の外周部が実質的に楕円形又は卵形の形状を形成するように長くすることができる。このような実施形態では、空洞は垂直軸１０２に沿って比較的長くなり、水平軸１０４に沿って比較的短くなる可能性がある。このように空洞１２３を長くすると、より良好でより快適なフィットをユーザに提供することができる。空洞１２３は更に、様々なサイズの耳を受け入れるようなサイズ及び寸法にすることができる。
【００３９】
空洞１２３は、内壁１１５の高さ１２５によって形成された深さを有することができる。いくつかの実施形態では、空洞１２３の深さはカニューレ１０５の高さより小さくすることができ、カニューレ１０５が環状メンブレン１１１のリム１２１を通り越して伸び、それによりユーザが灌注装置１００を装着した時にユーザの耳道に入るようにすることができる。いくつかの実施形態では、以下に述べるように、カニューレ１０５は、ユーザの耳道内にカニューレ１０５の先端部を挿入して位置決めする際に支援するために更に先細にすることができ、先端部はカニューレ１０５の基部より狭くなっている。しかしながら、カニューレ１０５の先細りは、カニューレ１０５の先端部がユーザの鼓膜に衝突する前に先端部と基部との間のカニューレ１０５の一部分がユーザの耳道の外側開口部に衝突し、それにより鼓膜への危害を防止するように設計することができる。
【００４０】
いくつかの実施形態では、灌注装置１００は、２つの対向するカニューレ連結器インターフェース１０６ａと１０６ｂとの間に伸びる横軸１２７に沿って間隔をあけて離れた状態で第１の耳当て１０１ａ及び第２の耳当て１０１ｂを調節可能に接続する調節可能ヘッドストラップ１０３を含む。調節可能ヘッドストラップ１０３は、ユーザの頭の上にフィットし、それによりユーザの第１の耳の上に第１の耳当て１０１ａを、ユーザの第２の耳の上に第２の耳当て１０１ｂを同時に位置決めするようなサイズ及び形状にすることができる。調節可能ヘッドストラップ１０３は、第１の耳当て１０１ａ及び第２の耳当て１０１ｂが横軸１２７に沿って横方向に移動又は屈曲できるように柔軟なものにすることができる。いくつかの実施形態では、耳当て１０１ａ、１０１ｂのうちの一方又は両方は、ユーザが灌注装置１００を装着している時に耳当て１０１が調節可能ヘッドストラップ１０３に関して垂直軸１０２に沿って移動できるようにする垂直アジャスタ１２９を含むことができる。垂直アジャスタ１２９は、例えば、様々なユーザの耳同士の間の種々の周囲距離（例えば、ユーザの一方の耳からユーザの頭の上を越えてユーザのもう一方の耳まで）に対応するように灌注装置を調節するために使用することができる。従って、垂直アジャスタ１２９のうちの一方又は両方は、比較的大きい頭を有するユーザに対応するように伸長することができる。
【００４１】
調節可能ヘッドストラップ１０３は、１つ以上の座付連結器１３０を介して耳当て１０１のそれぞれに接続することができる。座付連結器１３０は、耳当て１０１ａ、１０１ｂのそれぞれがそれぞれの耳当て１０１ａ、１０１ｂ上の座付連結器１３０同士の間を通るそれぞれの軸１３１ａ、１３１ｂの周りを独立して旋回できるようにすることができ、それぞれの軸１３１ａ、１３１ｂは第１のカニューレ連結器インターフェース１０６ａと第２のカニューレ連結器インターフェース１０６ｂとの間に伸びる横軸１２７に対して垂直にすることができる。このような座付連結器１３０は、ユーザが灌注装置１００を操作する時に耳当て１０１ａ、１０１ｂのそれぞれがユーザの頭の輪郭及び形状により快適にフィットできるようにする。
【００４２】
いくつかの実施形態では、耳当て１０１ａ、１０１ｂはそれぞれの環状ブラケット１３３ａ及び１３３ｂを含むことができる。環状ブラケット１３３ａ、１３３ｂは、それぞれの耳当て１０１ａ、１０１ｂの外周部１１３の一部分よりわずかに大きくなるようなサイズ及び形状にすることができる。例えば、環状ブラケット１３３ａ、１３３ｂは、それぞれの耳当て１０１ａ、１０１ｂの外周部１１３の上半分に沿って通るようなサイズ及び形状にすることができる。このような実施形態では、環状ブラケット１３３ａ、１３３ｂは、接合部１３５ａ及び１３５ｂで調節可能ヘッドストラップ１０３に旋回式に連結することができ、従って、耳当て１０１のそれぞれが接合部１３５ａ及び１３５ｂに対して独立して旋回できるようにする。
【００４３】
図２Ａは、少なくとも１つの例示された実施形態による灌注装置１００の１つの耳当て１０１のコンポーネントを示している。耳当て１０１のコンポーネントとしては、洗浄剤リザーバ２０１と、カニューレ連結器インターフェース２０３と、排出物収集リザーバ２０５とを含むことができる。また、耳当て１０１のコンポーネントとしては、洗浄剤リザーバ２０１に連結し、正圧（例えば、１気圧より大きいか又は周囲圧力より大きい）を発生するように動作可能な圧力ポンプ及び／又はマニホルドを有することができるポンプアセンブリ２０７ａと、排出物収集リザーバ２０５に連結し、負圧（例えば、１気圧より小さいか又は周囲圧力より小さい）を発生するように動作可能な真空ポンプ及び／又はマニホルドを有することができる真空アセンブリ２０７ｂと、蓋部２０９及び皿状部２１１を含むハウジング２１０と、コントローラ回路２１３と、１つ以上の電源２１５と、ユーザ実行可能選択可能制御部のセット２１７も含むことができる。
【００４４】
洗浄剤リザーバ２０１は、ユーザの耳道を洗浄するために使用される洗浄剤を保持する。このような洗浄剤としては、例えば、生食、過酸化水素、及び／又は水のうちの１つ以上を含むことができる。いくつかの実施形態では、洗浄剤リザーバ２０１は、ユーザの快適さのためにユーザの体温、或いはそれよりわずかに上又は下の温度まで加熱される洗浄剤を充填することができる。いくつかの実施形態では、洗浄剤リザーバ２０１は、体温又はそのあたり或いはそれよりわずかに温かい洗浄剤を充填することができる。いくつかの実施形態では、洗浄剤リザーバ２０１は、収容された洗浄剤をユーザの体温又はそのあたりの温度まで加熱するか及び／又は収容された洗浄剤をユーザの体温又はそのあたりの温度に維持するために位置決めされた加熱コンポーネント（例えば、ヒータ又は抵抗素子）を含むか又はそれに物理的に連結することができる。このような加熱コンポーネントはコントローラ回路２１３に電気的に通信可能に連結することができ、そのコントローラ回路は加熱コンポーネントに制御信号を送信することができる。いくつかの実施形態では、洗浄剤リザーバ２０１は、洗浄剤リザーバ２０１内に収容された洗浄剤の温度を測定するために内部温度計を含むことができる。このような実施形態では、温度計はコントローラ回路２１３に電気的に通信可能に連結することができる。このような実施形態では、温度計は洗浄剤リザーバ２０１内の温度を示す電気信号をコントローラ回路２１３に送信することができる。いくつかの実施形態では、コントローラ回路２１３は、加熱コンポーネントを制御するためのフィードバックとして温度計からの信号を使用することができる。いくつかの実施形態では、コントローラ回路２１３は、洗浄剤リザーバ２０１内に保持された洗浄剤が熱すぎるか又は冷たすぎる時に灌注手順が実行されるのを防止することによりユーザの安全性及び／又は快適さを提供するために温度計からの信号を使用することができる。
【００４５】
洗浄剤リザーバ２０１は、洗浄液流体連絡経路２１９を使用してカニューレ連結器インターフェース２０３と流体で連絡することができる。図２Ａに示されているように、洗浄液流体連絡経路２１９は、蓋部２０９内の開口部を通り、ハウジング２１０の洗浄剤通路２１２内を通って、カニューレ連結器インターフェース２０３まで進むことができる。灌注手順が始まると、洗浄剤は洗浄剤リザーバ２０１を出て、洗浄液流体連絡経路２１９を通ってカニューレ１０５まで進む。洗浄剤リザーバ２０１からの洗浄剤の流れを容易にするために、ポンプアセンブリ２０７ａからの空気圧又は液体圧を洗浄剤リザーバ２０１に加えることができる。いくつかの実施形態では、ポンプアセンブリ２０７ａは、洗浄剤リザーバ２０１から洗浄剤を抜き取り、所望の正圧でカニューレ１０５に向かって洗浄剤を排出するために使用される水ポンプ又は液体ポンプにすることができる。洗浄剤は、以下に更に述べるように、カニューレ内に進み、１つ以上の灌注アウトレットアパーチャを通って排出することができる。
【００４６】
いくつかの実施形態では、灌注装置１００は、洗浄剤を除去する前にある期間（例えば、少なくとも１分）の間、ユーザの耳道内に洗浄剤を残すことができる。いくつかの実施形態では、この期間は、ユーザ実行可能選択可能制御部２１７を介してユーザによって設定することができる。いくつかの実施形態では、コントローラ回路２１３は、洗浄剤がユーザの耳道内に残存するための１つ以上の事前設定期間を定義するプロセッサ実行可能命令を記憶することができる。ユーザは、関連のプロセッサ実行可能命令がコントローラ回路２１３内に含まれるプロセッサによって実行されるようにユーザ実行可能選択可能制御部２１７を介してこれらの事前設定期間のうちの１つを選択することができる。耳道内に洗浄剤を投入してからそれを耳道から除去するまでのこの期間は、洗浄剤がユーザの耳道内の蓄積を更に軟化できるようにし、従って、灌注装置１００の洗浄能力及びユーザの経験を強化することができる。
【００４７】
この期間が終了すると、灌注からの排出物は、以下に述べるように、カニューレ１０５上に位置する排出物収集インレットポートを介してユーザの耳道から除去される。排出物はカニューレ１０５から排出物流体連絡経路２２１に出るが、これはカニューレ連結器インターフェース２０３からハウジング２１０内の排出物通路２１４を通り、蓋部２０９内の１つ以上の開口部を通って、排出物収集リザーバ２０５まで進む。いくつかの実施形態では、真空アセンブリ又は真空ポンプ２０７ｂは、耳道からの排出物の除去を容易にするために排出物収集リザーバ２０５内に真空又は低圧エリア（即ち、周囲の環境圧より低い、例えば、１気圧より低い）を発生するために使用される。本明細書及び特許請求の範囲における真空に対する言及は、絶対真空ではなく、周囲の環境圧より低い（例えば、１気圧より低い）圧力を指す。
【００４８】
いくつかの実施形態では、灌注装置１００は、ある期間の間（例えば、３０秒まで、３５秒、１分まで、又はそれより長い）ユーザの耳道内に洗浄剤をパルス出力することができる。このようなパルスは、例えば、２秒おきに発生する可能性がある。このような実施形態では、真空アセンブリ２０７ｂは、洗浄剤が最初にユーザの耳道内にパルス出力される前に作動状態になり、その期間全体の間、作動状態のままになる可能性がある。この期間が終了した後、真空アセンブリ２０７ｂは非活動化することができる。
【００４９】
図２Ｂは、少なくとも１つの例示された実施形態により、長方形の耳当て１０１ｃを備えた灌注装置１００の実施形態を示している。このような長方形の耳当て１０１ｃは、１つ以上の側壁１６１によって接続される内部側面１５７及び外部側面１５９とともに、幅１５１、高さ１５３、及び深さ１５５を有することができる。いくつかの実施形態では、深さ１５５は幅１５１より小さくすることができ、幅１５１は高さ１５３より小さくすることができる。このような寸法は、その他の形状の耳当て１０１と比較した時に、より流線型のフィット及び外観を提供することができる。ユーザの耳の上に配置された時に、高さ１５３は、内部側面１５７がユーザの顔の側面に隣接した状態で垂直に配向され、灌注装置１００を装着しているユーザが直立姿勢である時に地面に対して垂直になる可能性がある。カニューレ１０５は実質的に、長方形の耳当て１０１ｃの内部側面１５７の中心に位置し、ユーザが長方形の耳当て１０１ｃを備えた灌注装置１００を装着している時にユーザの耳道内にカニューレ１０５を位置決めすることができる。長方形の耳当て１０１ｃは、内部側面１５７の外周部の周りに伸びる環状メンブレン１１１を含むことができる。上述のように、環状メンブレンは、様々なサイズの耳を受け入れるようなサイズ及び寸法にすることができる空洞１２３を形成することができる。洗浄剤リザーバ２０１及び排出物収集リザーバ２０５は、外部側面１５９に沿って長方形の耳当て１０１ｃに取り付けられた１つ以上の容器内に囲い込むことができる。ユーザ実行可能選択可能制御部のセット２１７は側壁１６１の１つに沿って位置することができる。いくつかの実施形態では、このユーザ実行可能選択可能制御部のセット２１７は、灌注装置１００にコマンドを入力し、そこから状況更新及びフィードバックを受け取るための１つ以上のボタン、スイッチ、及び／又はタッチスクリーンパッドを含むことができる。
【００５０】
少なくとも１つの例示された実施形態により、図３Ａ及び図３Ｂはそれぞれ皿状部２１１の第１の側面３０１及び第２の側面３０３の等角図であり、図４は蓋部２０９の等角図である。前に注記したように、皿状部２１１及び蓋部２０９は一緒にハウジング２１０を形成することができる。皿状部２１１の第１の側面３０１はカニューレ１０５に向かって耳当て１０１の内部側面１０７に面している。皿状部２１１の第２の側面３０３は洗浄剤リザーバ２０１及び排出物収集リザーバ２０５に向かって耳当て１０１の外部側面１０９に面している。蓋部２０９は１つ以上の連結機構、例えば、ねじ３０２を介して皿状部２１１の第２の側面３０３に取り付けられる。蓋部２０９は（皿状部２１１に取り付けられた場合）及び皿状部２１１の第１の側面３０１は、ハウジング２１０の深さを形成する距離３０５だけ分離される。側壁３０６は、蓋部２０９と皿状部２１１の第１の側面３０１との間の距離３０５を橋渡しする。取り付けられた蓋部２０９、皿状部２１１の第１の側面３０１、及び側壁３０６は、ハウジング２１０の内部３０７を規定する。
【００５１】
図３Ａに示されているように、カニューレ連結器インターフェース２０３は、洗浄剤ポート３１６と、真空ポート３１８と、１つ以上のインターフェース３１９とを含むことができる。洗浄剤ポート３１６は、洗浄剤用の洗浄液流体連絡経路２１９の一部にすることができ、カニューレ１０５上に位置する対応する灌注インレットポートと噛み合うことができる。例えば、洗浄剤ポート３１６は雄型コネクタ又はファスナにすることができ、カニューレ１０５上に位置する灌注インレットポートは対応する雌型コネクタ又はファスナにすることができる。洗浄剤ポート３１６と灌注インレットポートとの噛み合わせを使用して、洗浄剤が洗浄剤リザーバ２０１からカニューレ１０５に移動するための流体経路の一部を形成することができる。真空ポート３１８は、排出物用の排出物流体連絡経路２２１の一部にすることができ、カニューレ１０５上に位置する対応する排出物収集アウトレットポートと噛み合うことができる。例えば、真空ポート３１８は雄型コネクタ又ファスナにすることができ、カニューレ１０５上に位置する排出物収集アウトレットポートは対応する雌型コネクタ又ファスナにすることができる。真空ポート３１８と排出物収集アウトレットポートとの噛み合わせを使用して、排出物がカニューレ１０５から排出物収集リザーバ２０５に移動するための流体経路の一部を形成することができる。
【００５２】
カニューレ連結器インターフェース２０３は、カニューレ１０５上の１つ以上の対応するインターフェースに物理的に連結する１つ以上のインターフェース３１９を有することができる。これらの補完インターフェースは、カニューレ１０５が耳当て１０１上のカニューレ連結器インターフェース２０３に対して選択的に脱着可能になり、物理的に連結できるようにすることができる。いくつかの実施形態では、カニューレ連結器インターフェース２０３用のインターフェース３１９は、内径３２３、外径３２５、及び高さ３２７を備えた環状壁３２１の形にすることができる。内径３２３及び外径３２５は、洗浄剤ポート３１６及び真空ポート３１８を取り囲む同心形状（例えば、円、卵形、正方形など）を形成することができる。環状壁３２１は、例えば、環状壁３２１よりわずかに大きくなるようなサイズ及び形状のスロット又は開口部などのカニューレ１０５上の対応するインターフェースと物理的に係合し、それと連結することができる。このため、摩擦力によって、カニューレ連結器インターフェース２０３に物理的に連結された状態にカニューレ１０５を保持することができる。このような実施形態では、Ｏリングなどの１つ以上の柔軟で圧縮性の機構を使用して、カニューレ連結器インターフェース２０３上の連結器インターフェースとカニューレ１０５との間に気密及び／又は水密シールを形成することができる。いくつかの実施形態では、インターフェース３１９は、インターフェース３１９がカニューレ１０５上の対応するインターフェースと係合された時にカニューレ連結器インターフェース２０３の洗浄剤ポート３１６及び真空ポート３１８をカニューレ１０５上に位置する対応する灌注インレットポート及び排出物収集アウトレットポートと適切に位置合わせする働きをする１つ以上の見当合わせ機構を有することができる。例えば、環状壁３２１は、カニューレ１０５上の対応するインターフェースから伸びる対応するタブを受け入れるようなサイズ及び形状のスロット３２９を有することができる。スロット３２９とタブとの位置合わせを使用して、カニューレ連結器インターフェース２０３の洗浄剤ポート３１６及び真空ポート３１８がそれぞれカニューレ１０５上に位置する灌注インレットポート及び排出物収集アウトレットポートと適切に位置合わせされることを保証することができる。
【００５３】
いくつかの実施形態では、カニューレ連結器インターフェース２０３は、物理的に脱着式にカニューレ１０５と連結するためにその他の又は追加のタイプのインターフェース３１９を含むことができる。例えば、カニューレ連結器インターフェース２０３及びカニューレ１０５は、カニューレ連結器インターフェース２０３上にカニューレ１０５をねじ留めできるようにする補完的ねじ山を含むことができる。いくつかの実施形態では、カニューレ１０５は、差し込みピンスタイルの連結器を使用してカニューレ連結器インターフェース２０３に取り付けることができる。いくつかの実施形態では、カニューレ１０５は、１つ以上のラッチ又はその他の連結機構を使用して、カニューレ連結器インターフェース２０３の上にぴったりフィットし、それに連結するようなサイズ及び形状である。
【００５４】
図３Ｂは、皿状部２１１の第２の側面３０３の等角図であり、これは洗浄剤通路２１２及び排出物通路２１４を含むことができる。洗浄剤通路２１２は、ハウジング２１０を通って洗浄剤リザーバ２０１からカニューレ連結器インターフェース２０３への第１の通路を提供し、それにより洗浄液流体連絡経路２１９の一部を形成することができる。洗浄剤リザーバ２０１に向かって向けられた洗浄剤通路２１２の開口部２１２ａは、洗浄剤リザーバ２０１上のポートと噛み合うようなサイズ、形状、及び位置決めにすることができる。例えば、開口部２１２ａは、洗浄剤リザーバ２０１上のポートを形成する雌型コネクタ又はファスナと噛み合う雄型コネクタ又ファスナを形成することができる。皿状部２１１は、ハウジング２１０を通ってカニューレ連結器インターフェース２０３から排出物収集リザーバ２０５への第２の通路を提供し、それにより排出物流体連絡経路２２１の一部を形成する排出物通路２１４を含むことができる。排出物収集リザーバ２０５に向かって向けられた排出物通路２１４の開口部２１４ａは、排出物収集リザーバ２０５上のポートと噛み合うようなサイズ、形状、及び位置決めにすることができる。例えば、開口部２１４ａは、排出物収集リザーバ２０５上のポートを形成する雌型コネクタ又はファスナと噛み合う雄型コネクタ又ファスナを形成することができる。いくつかの実施形態では、洗浄剤通路２１２及び排出物通路２１４のいずれか一方又は両方はカニューレ１０５の一部にすることができる。このような実施形態では、それぞれのカニューレ１０５は洗浄剤リザーバ２０１へのそれ自体の洗浄剤通路２１２及び／又は排出物収集リザーバ２０５へのそれ自体の排出物通路２１４を提供することになる。
【００５５】
いくつかの実施形態では、洗浄剤通路２１２及び排出物通路２１４のうちの一方又は両方はハウジング２１０の内部３０７の残りの部分からシールされる。従って、洗浄剤及び排出物は、ハウジング２１０の内部３０７に漏れ出ずに、それぞれ洗浄剤通路２１２及び排出物通路２１４を通って進む。いくつかの実施形態では、ハウジング２１０の内部３０７は、例えば、圧力ポンプアセンブリ２０７ａ、真空ポンプアセンブリ２０７ｂ、コントローラ回路２１３、及び／又は電源２１５などの１つ以上の追加のコンポーネントを囲い込み、それを固定するために使用することができる。
【００５６】
皿状部２１１は、皿状部２１１及び／又はハウジング２１０を環状ブラケット１３３に連結できるようにするために側壁３０６上に位置する１つ以上の連結アパーチャ３０９を含むことができる。いくつかの実施形態では、例えば、環状ブラケット１３３は、側壁３０６上に位置する１つ以上の連結アパーチャ３０９に対応する補完的連結機構（例えば、タブ）を有することができる。このため、ハウジング２１０、ひいては耳当て１０１は、皿状部２１１及び環状ブラケット１３３上の対応する連結機構を介して選択的に脱着式に環状ブラケット１３３に連結することができる。環状ブラケット１３３上の連結機構及びハウジング２１０内の対応する連結アパーチャ３０９は、上述のように、連結機構同士の間を通る軸１３１に対して耳当て１０１が旋回できるようにする座付連結器１３０のセットを形成することができる。
【００５７】
図４は、少なくとも１つの例示された実施形態により、距離４０５だけ分離された第１の側面４０１と対向する第２の側面４０３とを有する蓋部２０９を示している。第１の側面は洗浄剤リザーバ２０１及び排出物収集リザーバ２０５に向かって耳当て１０１の外部側面１０９に面する。第２の側面４０３は皿状部２１１及びカニューレ連結器インターフェース２０３に向かって耳当て１０１の内部側面１０７に面する。蓋部２０９は、洗浄剤が洗浄剤リザーバ２０１からカニューレ１０５へ通過できるようにする洗浄剤アパーチャ４０７を含むことができる。蓋部２０９は、排出物がカニューレ１０５から排出物収集リザーバ２０５へ通過できるようにする排出物アパーチャ４０９を含むことができる。蓋部２０９は、蓋部２０９の第２の側面４０３上に位置するポンプアセンブリ２０７ａの出力が蓋部２０９の第１の側面４０１上に位置する洗浄剤リザーバ２０１に物理的に連結できるようにするポンプアパーチャ４１１を含むことができる。ポンプアセンブリ２０７ａは、洗浄剤リザーバ２０１内で正圧（例えば、１気圧より大きいか又は周囲圧力より大きい）を発生するように動作可能な圧力ポンプ及び／又はマニホルドを含むことができる。図４に示されているように、ポンプアパーチャ４１１は、蓋部２０９のエッジに近接して位置することができる。蓋部２０９は、蓋部２０９の第２の側面４０３上に位置する真空アセンブリ２０７ｂが蓋部２０９の第１の側面４０１上に位置する排出物収集リザーバ２０５と物理的に噛み合うことができるようにする真空アパーチャ４１３を含むことができる。真空アセンブリ２０７ｂは、カニューレ１０５により耳道から排出物収集リザーバ２０５内に排出物を抜き取るために排出物収集リザーバ２０５内で負圧（例えば、１気圧より小さいか又は周囲圧力より小さい）を発生するように動作可能な真空ポンプ及び／又はマニホルドを含むことができる。
【００５８】
蓋部２０９は１つ以上の連結機構４１５を含むことができる。連結機構４１５は、洗浄剤リザーバ２０１及び排出物収集リザーバ２０５のうちの一方又は両方を蓋部２０９に固定するために使用することができる。いくつかの実施形態では、連結機構４１５は、洗浄剤リザーバ２０１又は排出物収集リザーバ２０５のいずれか一方で反対極性の対応する磁石を有する、磁石４１７などの磁石及び／又は強磁性片にすることができる。連結機構４１５としての磁石４１７の使用は有利なことに、洗浄剤リザーバ２０１及び排出物収集リザーバ２０５の両方を耳当て１０１に確実に連結できることを保証しながら、充填するために洗浄剤リザーバ２０１を及び／又は空にするために排出物収集リザーバ２０５をユーザが迅速かつ容易に取り外せるようにすることができる。
【００５９】
図５は、少なくとも１つの例示された実施形態による洗浄剤リザーバ２０１の等角図である。洗浄剤リザーバ２０１は、洗浄剤が保持される密閉空間５０３を規定する複数の側面を有するシェル５０１を含むことができる。いくつかの実施形態では、密閉空間５０３は、１つ以上の灌注手順を実行するために十分な洗浄剤を保持する容積を有することができる。いくつかの実施形態では、例えば、密閉空間５０３は１００ｍＬまでの洗浄剤を保持することができる。シェル５０１は、装填アパーチャ５０５、洗浄剤ポート５０７、及び圧力アパーチャ５０９を含む、複数のアパーチャを含むことができる。
【００６０】
装填アパーチャ５０５は、密閉空間５０３内に洗浄剤を装填するために使用することができる。いくつかの実施形態では、装填アパーチャ５０５は、洗浄剤カバー５１１と噛み合い、それによってシールすることができる。いくつかの実施形態では、カバー５１１は、反対極性の対応する磁石５１５ａ、５１５ｂ、及び５１５ｃに磁気的に連結する１つ以上の磁石５１３ａ、５１３ｂ、及び５１３ｃを含み、従って、装填アパーチャ５０５のエッジに近接して間隔をあけて配置された複数対の強磁性連結器を提供することができる。代替的に又は加えて、いくつかの実施形態では、装填アパーチャ５０５及び洗浄剤カバー５１１は、洗浄剤カバー５１１を装填アパーチャ５０５にねじ込むことができるようにする補完的ねじ山を有することができる。いくつかの実施形態では、カバー５１１は、装填アパーチャ５０５のエッジに近接した対応するスロット又は開口部によってぴったりフィットするようなサイズ及び形状の突出部を含むことができる。いくつかの実施形態では、カバー５１１用のこのような突出部は、装填アパーチャ５０５自体の内側にぴったりフィットするようなサイズ及び形状にすることができる。柔軟な水密材料（例えば、Ｏリング）は、水密及び気密シールのために装填アパーチャ５０５のエッジに隣接しているカバー５１１の一部分を一周するように配置することができる。このため、いくつかの実施形態では、洗浄剤リザーバ２０１は、シェル５０１及び洗浄剤カバー５１１によって形成することができる。
【００６１】
いくつかの実施形態では、洗浄剤ポート５０７は、ハウジング２１０を通って伸びる洗浄剤通路２１２の開口部２１２ａと噛み合い、その結果、密閉空間５０３からの洗浄剤のための出口を提供するようなサイズ及び形状である。いくつかの実施形態では、圧力アパーチャ５０９はポンプアセンブリ２０７ａの出力に噛み合う。このような実施形態では、ポンプアセンブリ２０７ａは、密閉空間５０３内部の圧力を増加し、その結果、増加した圧力で洗浄剤に洗浄剤ポート５０７を強制的に通過させるために使用することができる。いくつかの実施形態では、ポンプアセンブリ２０７ａは、洗浄剤ポート５０７から洗浄剤を直接抜き取り、それを指定の正圧で洗浄剤通路２１２を通って分配する、水又は液体ポンプにすることができる。このような実施形態では、洗浄剤リザーバ２０１は圧力アパーチャ５０９を含まない可能性がある。ポンプアセンブリ２０７ａの圧力は、洗浄剤がカニューレ１０５から出る時にユーザに対して不快感を引き起こさないように設定することができる。いくつかの実施形態では、例えば、ポンプアセンブリ２０７ａの圧力は約１００ｋＰａより小さくすることができる。
【００６２】
シェル５０１は、蓋部２０９及び／又はハウジング２１０上に位置する対応する連結機構３１１と連結し、それにより上述のようにシェル５０１をハウジング２１０に固定する、１つ以上の連結機構５１７を含むことができる。いくつかの実施形態では、連結機構５１７は、ハウジング２１０上に位置する反対極性の対応する磁石３１５と磁気的に連結する磁石５１８を含むことができる。それぞれの磁石対はそれにより１対の強磁性連結器３１７を形成することができる。強磁性連結器３１７は、シェル５０１及び洗浄剤リザーバ２０１をハウジング２１０に選択的に脱着式に磁気的に連結するために使用することができる。
【００６３】
いくつかの実施形態では、装填アパーチャ５０５は、シェル５０１内に配置されたへこみ又はくぼみ５１９の内側にある可能性がある。従って、洗浄剤カバー５１１がシェル５０１内に固定されると、洗浄剤カバー５１１は、洗浄剤カバー５１１が取り付けられるシェル５０１の側面によって形成される平面にあるか又はそれより下にある可能性がある。このため、カバー５１１は、強磁性連結器３１７の磁気結合を妨害又は干渉する可能性はない。
【００６４】
図６は、少なくとも１つの例示された実施形態による排出物収集リザーバ２０５の等角図である。図６に示されているように、排出物収集リザーバ２０５は、灌注からの排出物が保持される密閉空間６０３を規定する複数の側面を有するシェル６０１を含むことができる。いくつかの実施形態では、密閉空間６０３は、洗浄剤リザーバ２０１によって保持される洗浄剤の容積よりわずかに大きい容積を有することができる。シェル６０１は、排出物除去アパーチャ６０５、排出物ポート６０７、及び真空アパーチャ６０９を含む、複数のアパーチャを含むことができる。
【００６５】
排出物除去アパーチャ６０５は、密閉空間６０３から排出物を除去するために使用することができる。いくつかの実施形態では、排出物除去アパーチャ６０５は、排出物カバー６１１と噛み合い、それによってシールすることができる。いくつかの実施形態では、例えば、排出物カバー６１１は、反対極性の対応する磁石６１５ａ、６１５ｂ、及び６１５ｃに磁気的に連結する１つ以上の磁石６１３ａ、６１３ｂ、及び６１３ｃを含み、従って、排出物除去アパーチャ６０５のエッジに近接して間隔をあけて配置された複数対の強磁性連結器を提供することができる。代替的に又は加えて、排出物除去アパーチャ６０５及び排出物カバー６１１は、排出物カバー６１１を排出物除去アパーチャ６０５にねじ込むことができるようにする補完的ねじ山を有することができる。いくつかの実施形態では、排出物カバー６１１は、排出物除去アパーチャ６０５のエッジに近接した対応するスロット又は開口部によってぴったりフィットするようなサイズ及び形状の突出部を含むことができる。いくつかの実施形態では、排出物カバー６１１用のこのような突出部は、排出物除去アパーチャ６０５自体の内側にぴったりフィットするようなサイズ及び形状にすることができる。柔軟な水密材料（例えば、エラストマＯリング）は、水密及び気密シールを形成するために排出物除去アパーチャ６０５のエッジに隣接している排出物カバー６１１の一部分を一周することができる。このため、いくつかの実施形態では、排出物収集リザーバ２０５は、シェル６０１及び排出物カバー６１１によって形成することができる。
【００６６】
いくつかの実施形態では、排出物ポート６０７は、ハウジング２１０を通って伸びる排出物通路２１４の開口部２１４ａと噛み合い、その結果、密閉空間６０３まで移動するための排出物のための出口を提供するようなサイズ及び形状である。いくつかの実施形態では、真空アパーチャ６０９は真空アセンブリ２０７ｂの出力に噛み合う。このような実施形態では、真空アセンブリ２０７ｂは、密閉空間６０３内部に低圧領域を形成し、その結果、排出物ポート６０７から密閉空間６０３内に排出物を抜き取るために使用することができる。真空アセンブリ２０７ｂの真空圧は、ユーザの快適さ及び／又は安全性のために設定することができる。いくつかの実施形態では、例えば、真空アセンブリ２０７ｂの真空圧は約１００ｋＰａより小さくすることができる。
【００６７】
シェル６０１は、ハウジング２１０上に位置する対応する連結機構３１１と連結し、それにより上述のようにシェル６０１をハウジング２１０に固定する、１つ以上の連結機構６１７を含むことができる。いくつかの実施形態では、連結機構６１７は、ハウジング２１０上に位置する反対極性の対応する磁石３１５と磁気的に連結する磁石６１８を含み、それにより１対の強磁性連結器３１７を形成することができる。強磁性連結器３１７は、シェル６０１及び排出物収集リザーバ２０５をハウジング２１０に脱着式に磁気的に連結するために使用することができる。更に、いくつかの実施形態では、洗浄剤用のシェル５０１及び排出物用のシェル６０１は独立してハウジング２１０に連結することができる。このような実施形態では、洗浄剤シェル５０１及び排出物シェル６０１のそれぞれは、互いに対して選択的にかつ独立してハウジング２１０から取り外すことができる。
【００６８】
いくつかの実施形態では、除去アパーチャ６０５は、シェル６０１内に配置されたへこみ又はくぼみ６１９の内側にある可能性がある。従って、排出物カバー６１１がシェル６０１内に固定されると、それは、排出物カバー６１１が取り付けられるシェル６０１の側面によって形成される平面にあるか又はそれより下にある可能性がある。このため、排出物カバー６１１は、強磁性連結器３１７の磁気結合を妨害又は干渉する可能性はない。
【００６９】
図７Ａは、少なくとも１つの例示された実施形態による耳当て１０１の使い捨て洗浄剤リザーバ７００の等角図である。使い捨て洗浄剤リザーバ７００は前面７０２及び背面７０４を含むことができる。いくつかの実施形態では、前面７０２及び背面７０４は実質的に互いに平行にすることができる。このような実施形態では、使い捨て洗浄剤リザーバ７００は、前面７０２と背面７０４との間の距離に橋を架ける１つ以上の側壁７０６を含むことができる。いくつかの実施形態では、前面７０２及び背面７０４は、背面７０４が前面７０２から外向きに湾曲するか及び／又は前面７０２が背面７０２から外向きに湾曲するようにエッジで交わることができる。このような実施形態では、使い捨て洗浄剤リザーバ７００の断面領域は、背面７０４及び前面７０２に関連する側面のうちの一方又は両方に沿った弧を含むことができる。
【００７０】
前面７０２、背面７０４、及び側壁７０６（存在する場合）は、使い捨て洗浄剤リザーバ７００用の中空空間７０８を規定することができ、前面７０２、背面７０４、及び側壁７０６のそれぞれは中空空間の境界を示している。いくつかの実施形態では、中空空間７０８は、使い捨て洗浄剤リザーバ７００の前面７０２に位置するへこみ７１２内に位置する使い捨て洗浄剤リザーバポート７１０を介してアクセス可能にすることができる。使い捨て洗浄剤リザーバポート７１０は、カニューレ１０５の反対側端部で、例えば、洗浄剤通路２１２の開口部２１２ａで洗浄液流体連絡経路２１９と選択的に脱着式に物理的に噛み合うようなサイズ及び寸法にすることができる。使い捨て洗浄剤リザーバポート７１０が洗浄液流体連絡経路２１９と噛み合うと、使い捨て洗浄剤リザーバ７００は１つ以上の灌注手順のために洗浄剤を提供することができる。いくつかの実施形態では、使い捨て洗浄剤リザーバポート７１０は、カニューレ１０５に向かって使い捨て洗浄剤リザーバ７００から洗浄剤を抜き取る水ポンプであるポンプアセンブリ２０７ａに流体で連結することができる。いくつかの実施形態では、使い捨て洗浄剤リザーバポート７１０は、洗浄剤が使い捨て洗浄剤リザーバ７００の中空空間７０８内に配置された後で製造及び／又は組立プロセス中に柔軟なメンブレンでシールすることができる。いくつかの実施形態では、洗浄液流体連絡経路２１９（例えば、洗浄剤通路２１２の先端部）は、使い捨て洗浄剤リザーバ７００が耳当て１０１上に取り付けられた時にメンブレンに穴を開け、それにより洗浄液にアクセスすることができる。
【００７１】
使い捨て洗浄剤リザーバ７００は、例えば、医療措置における使用のために承認されたプラスチック材料などの任意の適切なプラスチック材料で作ることができる。いくつかの実施形態では、使い捨て洗浄剤リザーバ７００は、灌注ルーチンの１灌注サイクルを実行するのに十分な洗浄剤を保持することができる。このような灌注サイクルは、例えば、ユーザの一方の耳を洗浄するために十分なものである可能性がある。従って、このような使い捨て洗浄剤リザーバ７００は、毎回使用後に交換し、それにより複数ユーザに曝される灌注装置１００のコンポーネントの数を低減することができる。いくつかの実施形態では、使い捨て洗浄剤リザーバ７００は、１つ以上のファスナ又は物理的連結器を使用して耳当て１０１上に直接取り付けることができる。いくつかの実施形態では、以下に述べるように、使い捨て洗浄剤リザーバ７００は、シェルが耳当てに取り付けられた時にシェル内に装填し、耳当て１０１に取り付けることができる。
【００７２】
図７Ｂは、少なくとも１つの例示された実施形態による耳当て７２０の使い捨て排出物収集リザーバの等角図である。使い捨て排出物収集リザーバ７２０は前面７２２及び背面７２４を含むことができる。いくつかの実施形態では、前面７２２及び背面７２４は実質的に互いに平行にすることができる。このような実施形態では、使い捨て排出物収集リザーバ７２０は、前面７２２と背面７２４との間の距離に橋を架ける１つ以上の側壁７２６を含むことができる。いくつかの実施形態では、前面７２２及び背面７２４は、背面７２４が前面７２２から外向きに湾曲するか及び／又は前面７２２が背面７２２から外向きに湾曲するようにエッジで交わることができる。このような実施形態では、使い捨て排出物収集リザーバ７２０の断面領域は、背面７２４及び前面７２２に関連する側面のうちの一方又は両方に沿った弧を含むことができる。
【００７３】
前面７２２、背面７２４、及び側壁７２６（存在する場合）は、使い捨て排出物収集リザーバ７２０用の中空空間７２８を規定することができ、前面７２２、背面７２４、及び側壁７２６のそれぞれは中空空間７２８の境界を示している。いくつかの実施形態では、中空空間７２８は、使い捨て排出物収集リザーバ７２０の前面７２２に位置する第１のへこみ７３２内に位置する使い捨て排出物収集リザーバポート７３０を介してアクセス可能にすることができる。使い捨て排出物収集リザーバポート７３０は、カニューレ１０５の反対側端部で、例えば、排出物通路２１４の開口部２１４ａで排出物流体連絡経路２２１と選択的に脱着式に物理的に噛み合うようなサイズ及び寸法にすることができる。使い捨て排出物収集リザーバポート７３０が排出物流体連絡経路２２１と噛み合うと、使い捨て排出物収集リザーバ７２０は１つ以上の灌注手順中に排出物を収集するために使用することができる。いくつかの実施形態では、使い捨て排出物収集リザーバポート７３０は、製造及び／又は組立プロセス中に柔軟なメンブレンでシールすることができる。いくつかの実施形態では、排出物流体連絡経路２２１（例えば、排出物通路２１４の先端部）は、使い捨て排出物収集リザーバ７２０が耳当て１０１上に取り付けられた時にメンブレンに穴を開け、それにより使い捨て排出物収集リザーバ７２０の中空空間７２８へのアクセスを可能にすることができる。
【００７４】
使い捨て排出物収集リザーバ７２０の前面７２２は、使い捨て排出物収集リザーバ７２０の中空空間７２８へのアクセスを可能にする真空アセンブリポート７３４を含むことができる。真空アセンブリポート７３４は、使い捨て排出物収集リザーバ７２０の前面７２２の第２のへこみ７３６内に位置することができる。真空アセンブリポート７３４は、使い捨て排出物収集リザーバ７２０が耳当て１０１上に取り付けられた時に真空アセンブリ２０７ｂと物理的に流体で連結するようなサイズ及び寸法にすることができる。真空アセンブリ又は真空ポンプ２０７ｂは、灌注手順中及び／又は灌注手順後に耳道からの排出物の除去を容易にするために使い捨て排出物収集リザーバ７２０内に真空又は低圧の領域（即ち、周囲の環境圧より低い、例えば、１気圧より低い）を発生するために使用することができる。
【００７５】
使い捨て排出物収集リザーバ７２０は、例えば、医療措置における使用のために承認されたプラスチック材料などの任意の適切なプラスチック材料で作ることができる。いくつかの実施形態では、使い捨て排出物収集リザーバ７２０の中空空間７２８は、灌注ルーチンの少なくとも１灌注サイクルからの排出物を収容するのに十分な容積を保持することができる。このような灌注サイクルは、例えば、ユーザの一方の耳を洗浄するために十分なものである可能性がある。従って、このような使い捨て排出物収集リザーバ７２０は、毎回使用後に交換し、それにより複数ユーザに曝される灌注装置１００のコンポーネントの数を低減することができる。いくつかの実施形態では、使い捨て排出物収集リザーバ７２０は、１つ以上のファスナ又は物理的連結器を使用して耳当て１０１上に直接取り付けることができる。いくつかの実施形態では、以下に述べるように、使い捨て排出物収集リザーバ７２０は、シェルが耳当てに取り付けられた時にシェル内に装填し、耳当て１０１に取り付けることができる。
【００７６】
図７Ｃは、少なくとも１つの例示された実施形態により、そのうちの第１の空洞７８２が使い捨て洗浄剤リザーバ７００を保持するようなサイズ及び寸法であり、第２の空洞７８４が使い捨て排出物収集リザーバ７２０を保持するようなサイズ及び寸法である、２つのリザーバ空洞に分割されたリザーバシェル７８０の等角図である。リザーバシェル７８０は、長さ７８１、幅７８３、及び高さ７８５を有することができ、耳当て１０１の露出部分の上にフィットするようなサイズ及び寸法にすることができる。リザーバシェル７８０は、リザーバシェル７８０の長さ７８１の端から端まで伸びて、第２の空洞７８４から第１の空洞７８２を分離する内壁７８６を含む。第１のカラー７８８は、内壁７８６に取り付けられ、第１の空洞７８２に向かって内壁７８６に対して垂直に伸びることができる。第１のカラー７８８は、内部開口部７８８ａを備えた環状形状を有することができる。いくつかの実施形態では、内部開口部７８８ａは、使い捨て洗浄剤リザーバ７００が第１の空洞７８２に装填された時に使い捨て洗浄剤リザーバポート７１０と位置合わせすることができる。このような位置合わせは、使い捨て洗浄剤リザーバポート７１０と洗浄液流体連絡経路２１９との噛み合わせを容易にすることができる。
【００７７】
いくつかの実施形態では、使い捨て洗浄剤リザーバ７００は、使い捨て洗浄剤リザーバポート７１０を有する使い捨て洗浄剤リザーバ７００の端部を第１のカラー７８８の後ろで内壁７８６に向かって第１の空洞７８２内にスライドさせることによって第１の空洞７８２内に装填することができる。いくつかの実施形態では、リザーバシェル７８０は任意選択で、内壁７８６の反対側の第１の空洞７８２のエッジに沿って位置するラッチ７８９又はその他の同様の固定機構を有することができる。使い捨て洗浄剤リザーバ７００の対応する端部は、ラッチ７８９の後ろで第１の空洞７８２に押し込まれ、それにより使い捨て洗浄剤リザーバ７００を第１の空洞７８２内に固定することができる。
【００７８】
第２のカラー７９０及び第３のカラー７９２は、内壁７８６に取り付けられ、第２の空洞７８４に向かって内壁７８６に対して垂直に伸びることができる。第２のカラー７９０は、内部開口部７９０ａを備えた環状形状を有することができる。いくつかの実施形態では、内部開口部７９０ａは、使い捨て排出物収集リザーバ７２０が第２の空洞７８４に装填された時に使い捨て排出物収集リザーバポート７３０と位置合わせすることができる。このような位置合わせは、使い捨て排出物収集リザーバポート７３０と排出物流体連絡経路２２１との噛み合わせを容易にすることができる。第３のカラー７９２は、内部開口部７９２ａを備えた環状形状を有することができる。いくつかの実施形態では、内部開口部７９２ａは、使い捨て排出物収集リザーバ７２０が第２の空洞７８４に装填された時に真空アセンブリ２０７ｂからの出力と位置合わせすることができる。このような位置合わせは、真空アセンブリポート７７２と真空アセンブリ２０７ｂとの噛み合わせを容易にすることができる。
【００７９】
いくつかの実施形態では、使い捨て排出物収集リザーバ７２０は、使い捨て排出物収集リザーバポート７３０を有する使い捨て排出物収集リザーバ７２０の端部を第２のカラー７９０及び／又は第３のカラー７９２の後ろで内壁７８６に向かって第２の空洞７８４内にスライドさせることによって第２の空洞７８４内に装填することができる。いくつかの実施形態では、リザーバシェル７８０は任意選択で、内壁７８６の反対側の第２の空洞７８４のエッジに沿って位置するラッチ７９４又はその他の同様の固定機構を有することができる。使い捨て排出物収集リザーバ７２０の対応する端部は、ラッチ７９４の後ろで第２の空洞７８４に押し込まれ、それにより使い捨て排出物収集リザーバ７２０を第２の空洞７８４内に固定することができる。
【００８０】
図７Ｄは、少なくとも１つの例示された実施形態により、洗浄剤セクション７５１及び排出物収集セクション７５３のための別個のセクションを含む使い捨て容器７５０の等角図である。使い捨て容器７５０は、前面７５２及び背面７５４と、潜在的に１つ以上の側壁７５６とを含むことができ、これらは単体の本体７５５を形成する。いくつかの実施形態では、前面７５２及び背面７５４は実質的に互いに平行にすることができる。このような実施形態では、使い捨て容器７５０は、前面７５２と背面７５４との間の距離に橋を架ける１つ以上の側壁７５６を含むことができる。いくつかの実施形態では、前面７５２及び背面７５４は、背面７５４が前面７５２から外向きに湾曲するか及び／又は前面７５２が背面７５２から外向きに湾曲するようにエッジで交わることができる。このような実施形態では、使い捨て容器７５０の断面領域は、背面７５４及び前面７５２に関連する側面のうちの一方又は両方に沿った弧を含むことができる。
【００８１】
前面７５２、背面７５４、及び側壁７５６（存在する場合）は、使い捨て容器７５０用の中空空間７５８を規定することができ、前面７５２、背面空間７５４、及び側壁７５６のそれぞれは中空空間７５８の境界を示している。いくつかの実施形態では、隔壁７６０は中空空間７５８を複数セクションに分割することができる。このような実施形態では、１つのセクションの流体内容物が他のセクションに使い捨て容器７５０内で直接移動できないように、異なるセクションは互いに流体的に分離される可能性がある。例えば、いくつかの実施形態では、中空空間７５８は洗浄剤リザーバセクション７６２及び排出物収集リザーバセクション７６４に分割することができ、このようなセクションは使い捨て容器７５０内で互いに流体的に分離される。
【００８２】
いくつかの実施形態では、中空空間７５８の洗浄剤リザーバセクション７６２は、使い捨て容器７５０の前面７０２上の第１のへこみ７６６内に位置する洗浄剤ポート７６５を介してアクセス可能にすることができる。洗浄剤ポート７６５は、カニューレ１０５の反対側端部で、例えば、洗浄剤通路２１２の開口部２１２ａで洗浄液流体連絡経路２１９と選択的に脱着式に物理的に噛み合うようなサイズ及び寸法にすることができる。使い捨て容器７５０が洗浄液流体連絡経路２１９と噛み合うと、洗浄剤リザーバセクション７６２は１つ以上の灌注手順のために洗浄剤を提供することができる。いくつかの実施形態では、洗浄剤ポート７６５は、洗浄剤が使い捨て容器７５０の洗浄剤リザーバセクション７６２内に配置された後で製造及び／又は組立プロセス中に柔軟なメンブレンでシールすることができる。いくつかの実施形態では、洗浄液流体連絡経路２１９（例えば、洗浄剤通路２１２の先端部）は、使い捨て容器７５０が耳当て１０１上に取り付けられた時にメンブレンに穴を開け、それにより洗浄液にアクセスすることができる。
【００８３】
いくつかの実施形態では、排出物収集リザーバセクション７６４は、使い捨て容器７５０の前面７５２上の第２のへこみ７７０内に位置する排出物収集リザーバポート７６８を介してアクセス可能にすることができる。排出物収集リザーバポート７６８は、カニューレ１０５の反対側端部で、例えば、排出物通路２１４の開口部２１４ａで排出物流体連絡経路２２１と選択的に脱着式に物理的に噛み合うようなサイズ及び寸法にすることができる。排出物収集リザーバポート７６８が排出物流体連絡経路２２１と噛み合うと、排出物収集リザーバセクション７６４は１つ以上の灌注手順中に排出物を収集するために使用することができる。いくつかの実施形態では、排出物収集リザーバセクション７６４は、製造及び／又は組立プロセス中に柔軟なメンブレンでシールすることができる。いくつかの実施形態では、排出物流体連絡経路２２１（例えば、排出物通路２１４の先端部）は、使い捨て容器７５０が耳当て１０１上に取り付けられた時にメンブレンに穴を開け、それにより排出物収集リザーバセクション７６４へのアクセスを可能にすることができる。
【００８４】
使い捨て容器７５０の前面７５２は、使い捨て容器７５０の排出物収集リザーバセクション７６４へのアクセスを可能にする真空アセンブリポート７７２を含むことができる。真空アセンブリポート７７２は、使い捨て容器７５０の前面７５２の第３のへこみ７７４内に位置することができる。真空アセンブリポート７７２は、使い捨て容器７５０が耳当て１０１上に取り付けられた時に真空アセンブリ２０７ｂと物理的に流体で連結するようなサイズ及び寸法にすることができる。真空アセンブリ又は真空ポンプ２０７ｂは、灌注手順中及び／又は灌注手順後に耳道からの排出物の除去を容易にするために排出物収集リザーバセクション７６４内に真空又は低圧の領域（即ち、周囲の環境圧より低い、例えば、１気圧より低い）を発生するために使用することができる。
【００８５】
使い捨て容器７５０は、例えば、医療措置における使用のために承認されたプラスチック材料などの任意の適切なプラスチック材料で作ることができる。いくつかの実施形態では、使い捨て容器７５０の洗浄剤リザーバセクション７６２は、灌注ルーチンの少なくとも１灌注サイクルからの排出物を収容するのに十分な容積を保持することができる。いくつかの実施形態では、排出物収集リザーバセクション７６４は、灌注ルーチンの少なくとも１灌注サイクルからの排出物を収容するのに十分な容積を保持することができる。このような灌注サイクルは、例えば、ユーザの一方の耳を洗浄するために十分なものである可能性がある。従って、このような使い捨て容器７５０は、毎回使用後に交換し、それにより複数ユーザに曝される灌注装置１００のコンポーネントの数を低減することができる。いくつかの実施形態では、使い捨て容器７５０は、１つ以上のファスナ又は物理的連結器を使用して耳当て１０１上に直接取り付けることができる。いくつかの実施形態では、使い捨て容器７５０は、シェル（例えば、内壁７８６なしのリザーバシェル７８０）が耳当てに取り付けられた時にシェル内に装填し、耳当て１０１に取り付けることができる。
【００８６】
図８、図９、図１０、及び図１１は、一実施形態により様々な視点からカニューレ１０５を示している。カニューレ１０５は、長さ８０７によって分離され、それを越えて互いに対向する近位端８０３及び遠位端８０５を有する本体８０１を含む。本体８０１は、近位端８０３の断面領域が、ユーザの耳道内に挿入される遠位端８０５の断面領域より大きくなるように、遠位端８０５に向かって近位端８０３から先細にすることができる。このような実施形態では、カニューレ１０５の先細りは、カニューレ１０５の遠位端８０５がユーザの鼓膜に衝突する前に本体８０１の比較的より大きい部分をユーザの耳道の側壁に衝突させることにより、ユーザの鼓膜を保護することができる。いくつかの実施形態では、カニューレ１０５の本体８０１は、円錐の先細型端部が切り詰められている円錐形形状などの部分的に円錐形の形状を有することができる。いくつかの実施形態では、カニューレ１０５の本体８０１の先細りは線形にすることができる。いくつかの実施形態では、カニューレ１０５の本体８０１の先細りは、基部から先端部に移動する時に輪郭において曲線及び／又は段状部分を備えた非線形にすることができる。いくつかの実施形態では、先細りは、カニューレ１０５の本体８０１のある部分について線形にし、カニューレ１０５の本体８０１の他の部分について非線形にすることができる。いくつかの実施形態では、カニューレ１０５の本体８０１は、プラスチックの単体のシングルピースで形成することができる。いくつかの実施形態では、代替的に、カニューレ１０５の本体８０１は、一緒に接合された複数のピースで形成することができる。いくつかの実施形態では、本体８０１は中心軸８０２の周りの回転体という形式を有する可能性がある。いくつかの実施形態では、カニューレ１０５の本体８０１は回転体の形式ではない可能性がある。
【００８７】
１つ以上の灌注アウトレットアパーチャ８０９は遠位端８０５に近接して位置することができる。いくつかの実施形態では、灌注アウトレットアパーチャ８０９のうちの１つ以上は、カニューレ１０５の遠位端８０５でエッジから短い距離（例えば、５ｍｍまで）を後退させることができる。灌注アウトレットアパーチャ８０９は、カニューレ１０５から出る洗浄剤の外向きの流れを誘導するために使用することができる。いくつかの実施形態では、複数の灌注アウトレットアパーチャ８０９は、遠位端８０５に近接してカニューレ１０５の本体８０１の周りに半径方向に間隔をあけて配置することができる。灌注アウトレットアパーチャ８０９は、カニューレ１０５の近位端８０３に位置する灌注インレットポート８１３と、灌注インレットポート８１３に対して比較的遠位端８０５に向かって位置する灌注アウトレットアパーチャ８０９との間に灌注流路８１１を提供する灌注通路８１０の端部に位置することができる。灌注インレットポート８１３は、実質的に円筒形の形状である場合もあれば、その他の形状、例えば、卵形又は楕円形を有する場合もある。
【００８８】
排出物収集インレットポート８１７は、カニューレ１０５の遠位端８０５に又は少なくともそれに近接して位置することができる。排出物収集インレットポート８１７は、灌注手順中にユーザの耳道からの排出物を収集するために使用することができる。いくつかの実施形態では、排出物収集リザーバ２０５内の真空アセンブリ２０７ｂによって発生された真空或いは比較的低圧又は負の空気圧の領域を介して、排出物収集インレットポート８１７で吸引力を発生することができる。この吸引力は排出物の収集を支援することができる。排出物収集インレットポート８１７は、比較的カニューレ１０５の遠位端８０５に向かって位置する排出物収集インレットポート８１７と、カニューレ１０５の近位端８０３に位置する排出物収集アウトレットポート８２１との間に排出物のための流路を提供する排出物流路８１９の端部に位置することができる。排出物収集アウトレットポート８２１は実質的に円筒形の形状にすることができる。いくつかの実施形態では、排出物収集アウトレットポート８２１はその他の形状（例えば、卵形、楕円形など）を取ることができる。
【００８９】
いくつかの実施形態では、灌注インレットポート８１３は排出物収集アウトレットポート８２１から半径方向にオフセットされる。いくつかの実施形態では、灌注アウトレットアパーチャ８０９は中心軸８０２から外向きに半径方向にオフセットすることができ、このような配置の結果、灌注アウトレットアパーチャ８０９が弧を形成する可能性がある。いくつかの実施形態では、排出物収集インレットポート８１７は中心軸８０２の周りに配置することができる。
【００９０】
トラップ８３３は排出物流路８１９に沿って位置することができる。いくつかの実施形態では、例えば、トラップ８３３はカニューレ１０５の近位端８０３に近接して位置することができる。いくつかの実施形態では、トラップ８３３は、ある量の液体及び空気のうちの少なくとも一方を通す間に少なくとも１つの定義済み寸法の物理的デブリをトラップするようなサイズ及び寸法にすることができる。例えば、トラップ８３３は、排出物中で運ばれる耳あかをトラップするようなサイズ及び寸法にすることができる。いくつかの実施形態では、トラップ８３３は、例えば、排出物流路８１９を横切って伸び、排出物流路８１９内の排出物の流れの方向に対して垂直になるように配向されたメッシュフィルタ、織物フィルタ、又は非織物フィルタなどのフィルタ８３３ａにすることができる。いくつかの実施形態では、トラップ８３３は、排出物収集通路８２０の内周８３５から半径方向に内向きに伸びる複数の指部又は突起部８３３ｂを含むことができる。複数の指部又は突起部８３３ｂが示されているが、トラップは、全面的に又は少なくとも部分的に排出物収集通路８２０を横切って伸びる、単一のバー又はロッド或いは細長い部材を含むことができる。
【００９１】
いくつかの実施形態では、カニューレ１０５の遠位端８０５は、排出物収集インレットポート８１７の少なくとも一部分の上に張り出す斜角を付けた部分８１５を含むことができる。このような実施形態では、斜角を付けた部分８１５は、中心軸８０２に対して垂直又は平行のいずれでもない平面内にあって、中心軸８０２に対してある角度で向けられるように、排出物収集インレットポート８１７を位置決めすることができる。いくつかの実施形態では、斜角を付けた部分８１５は、直立姿勢のユーザが灌注装置１００を装着した時に水平軸１０４に対して下向きの角度で排出物収集インレットポート８１７を配向するような形状にすることができる。このような配向は、灌注手順の排出物を収集するために排出物収集インレットポート８１７で導入される吸引の効果及び効率を改善することができる。いくつかの実施形態では、斜角を付けた部分８１５は、灌注アウトレットアパーチャ８０９のうちの１つ又は複数を含むことができる。
【００９２】
近位端８０３はフランジ付き部分８２３を含むことができる。いくつかの実施形態では、フランジ付き部分８２３は、カニューレ連結器インターフェース２０３上の補完インターフェースにカニューレ１０５を確実に係合し、それによりカニューレ１０５を耳当て１０１に固定するために、１つ以上のインターフェースを含むことができる。いくつかの実施形態では、フランジ付き部分８２３は、外径８２８を有する内壁８２７、内径８３０を有する外壁８２９、及び外径８２８と内径８３０との間のオープンスペース８３１によって形成されるインターフェース８２５を含むことができる。このような実施形態では、カニューレ連結器インターフェース２０３は、オープンスペース８３１内にぴったりフィットし、外壁８２９及び内壁８２７と接触するような設計及び形状の環状壁３２１などの対応する補完インターフェース３１９を含むことができる。カニューレ連結器インターフェース２０３は、カニューレ連結器インターフェース２０３の環状壁３２１が内壁８２７と外壁８２９との間に係合された時にカニューレ１０５の動きに対向する摩擦力を介して所定の位置にカニューレ１０５を確実に保持することができる。しかしながら、このような摩擦力は、望ましい時にユーザがカニューレ連結器インターフェース２０３からカニューレ１０５を除去するのを防止するほど大きくない可能性がある。従って、このようなインターフェース８２５は、カニューレ連結器インターフェース２０３上の補完インターフェース３１９とカニューレ１０５を取り外し可能に確実に係合する。
【００９３】
フランジ付き部分８２３は、カニューレ１０５がカニューレ連結器インターフェース２０３と取り外し可能に確実に契合できるようにする、その他のタイプのインターフェース（例えば、ねじ山を切ったねじ、差し込みコネクタ（例えば、出っ張りと補完的くぼみ））を含むことができる。フランジ付き部分８２３は、カニューレ１０５とカニューレ連結器インターフェース２０３との間に水密及び／又は気密シールを提供する、１つ以上の柔軟で整合的な材料（例えば、ゴムのＯリング）を含むことができる。
【００９４】
インターフェース８２５は、カニューレ１０５の近位端８０３上に位置する灌注インレットポート８１３をカニューレ連結器インターフェース２０３上に位置する洗浄剤ポート３１６と位置合わせすることができる。インターフェース８２５は、カニューレ１０５の近位端８０３上に位置する排出物収集アウトレットポート８２１をカニューレ連結器インターフェース２０３上に位置する真空ポート３１８と位置合わせすることができる。このような実施形態では、カニューレ１０５がカニューレ連結器インターフェース２０３に固定されると、このインターフェースは、灌注インレットポート８１３が洗浄剤ポート３１６と確実に噛み合うことと、排出物収集アウトレットポート８２１が真空ポート３１８と確実に噛み合うことを可能にすることができる。１つ以上の柔軟で整合的なシールは、灌注インレットポート８１３と洗浄剤ポート３１６との間及び／又は排出物収集アウトレットポート８２１と真空ポート３１８との間に気密及び／又は水密シールを提供するために更に使用することができる。
【００９５】
図１２は、少なくとも１つの例示された実施形態により、カニューレ１０５を示し、灌注通路８１０及び排出物収集通路８２０の経路をより良好に示している。灌注通路８１０は、カニューレ１０５の近位端８０３に位置する灌注インレットポート８１３をカニューレ１０５の遠位端８０５に近接して位置する１つ以上の灌注アウトレットアパーチャ８０９と接続する。灌注インレットポート８１３は、実質的に円筒形にすることができ、カニューレ１０５がカニューレ連結器インターフェース２０３と物理的に連結された時にカニューレ連結器インターフェース２０３上の洗浄剤ポート３１６と噛み合うようなサイズ及び形状にすることができる。例えば、灌注インレットポート８１３は雌型コネクタ又はファスナにすることができ、カニューレ連結器インターフェース２０３上の対応する洗浄剤ポート３１６は補完的な雄型コネクタ又はファスナにすることができる。灌注通路８１０は、それがカニューレ１０５のフランジ付き部分８２３を過ぎて進み、カニューレの遠位端８０５に向かって移動する時に平らになる可能性がある。このような扁平化により、灌注通路８１０はカニューレ１０５の遠位端８０５に近接して伸び、様々な灌注アウトレットアパーチャ８０９間に延びる弧形状を形成することができる。
【００９６】
排出物収集通路８２０は、排出物収集インレットポート８１７と排出物収集アウトレットポート８２１との間に排出物流路８１９を提供し、カニューレ１０５がカニューレ連結器インターフェース２０３と物理的に連結された時にカニューレ連結器インターフェース２０３上の真空ポート３１８と噛み合うようなサイズ及び形状にすることができる。例えば、排出物収集アウトレットポート８２１は雌型コネクタ又はファスナにすることができ、カニューレ連結器インターフェース２０３上の対応する真空ポート３１８は補完的な雄型コネクタ又はファスナにすることができる。排出物収集通路８２０は、カニューレ１０５の近位端８０３における排出物収集通路８２０の直径と比較して、遠位端８０５においてより小さい直径を有することができる。このような狭小化は、排出物収集通路８２０がカニューレ１０５の長さに沿って徐々に先細になるように漸進的なものにすることができる。このような狭小化は、急激なものであり、例えば、排出物収集通路８２０がカニューレのフランジ付き部分８２３から外に移動するポイントで発生する可能性がある。前述のように、トラップ８３３は、排出物収集通路８２０内に位置し、排出物内で運ばれる指定のサイズの粒子を捕捉するようなサイズ、形状、及び配向にすることができる。
【００９７】
図１３は、１つの例示された実施形態によるコントローラ回路２１３及び１つ以上の電源２１５を示している。コントローラ回路２１３は、少なくとも１つのプロセッサ１２０１と、電源２１５（例えば、１つ以上のバッテリ）への接続部１２０３と、１セット以上のプロセッサ実行可能命令１２０７を記憶する１つ以上のメモリ１２０５と、入力インターフェース１２０９と、出力インターフェース１２１１とを含む。これらのコンポーネントのそれぞれは、コントローラ回路２１３の様々なコンポーネント間の双方向通信を提供できるバス１２１３によって通信可能に接続することができる。バス１２１３は、例えば、少なくとも１つの本体に含まれる複数のバス（例えば、データバス、命令バス、電力バス）の形を取ることができる。
【００９８】
入力インターフェース１２０９は、ユーザ実行可能選択可能制御部２１７に電気的に通信可能に連結し、電気信号の形のユーザ入力を受信するために使用することができる。このようなユーザ入力としては、例えば、１つ以上のメモリ１２０５によって複数セットのプロセッサ実行可能命令１２０７として記憶された複数の灌注プログラム間の選択を含むことができる。出力インターフェース１２１１は、ポンプアセンブリ２０７ａ及び真空アセンブリ２０７ｂのうちの一方又は両方に電気的に通信可能に連結することができる。出力インターフェース１２１１は、プロセッサ１２０１によって生成され、その結果、ポンプアセンブリ２０７ａ及び／又は真空アセンブリ２０７ｂを活動化又は非活動化する電気信号を送信するために使用することができる。
【００９９】
プロセッサ１２０１は、１つ以上の中央演算処理装置（ＣＰＵ）、デジタル信号プロセッサ（ＤＳＰ）、特定用途向け集積回路（ＡＳＩＣ）、書き換え可能ゲートアレイ（ＦＰＧＡ）などの任意の論理処理装置にすることができる。電源２１５は、電力接続部１２１７を介して灌注装置１００の様々なコンポーネントに電力を提供する１つ以上の電源２１５を含むことができる。電源２１５は、バッテリ、エネルギ源、燃料電池などの内部電源にすることができる。
【０１００】
１つ以上のメモリ１２０５は読み取り専用メモリ（「ＲＯＭ」）及びランダムアクセスメモリ（「ＲＡＭ」）を含むことができる。１つ以上のメモリ１２０５は、データ及び／又はプロセッサ実行可能命令を記憶するためのフラッシュドライブを含むことができる。いくつかの実施形態では、１つ以上のメモリ１２０５は、ハードディスクから読み取り、そこに書き込むためのハードディスクドライブ、取り外し可能光ディスクから読み取り、そこに書き込むための光ディスクドライブ、及び／又は磁気ディスクから読み取り、そこに書き込むための磁気ディスクドライブを含むことができる。１つ以上のメモリ１２０５は、システムバス１２１３を介してプロセッサ１２０１と通信することができる。当業者であれば、ＷＯＲＭドライブ、ＲＡＩＤドライブ、磁気カセット、フラッシュメモリカード、デジタルビデオディスク（「ＤＶＤ」）、ベルヌーイカートリッジ、ＲＡＭ、ＲＯＭ、スマートカードなど、コンピュータによってアクセス可能なデータを記憶できるその他のタイプのコンピュータ可読媒体を使用できることを認識するであろう。
【０１０１】
１セット以上のプロセッサ実行可能命令１２０７は、実行されると、灌注装置１００により１つ以上の灌注ルーチンを実行させる。このような灌注ルーチンは、実行されると、プロセッサ１２０１により、指定の時間に出力インターフェース１２１１を介して真空アセンブリ２０７ｂに第１の信号を送信させることができ、その結果、真空アセンブリ２０７ｂがオンになり、それにより排出物流体連絡経路２２１を通ってカニューレ１０５の排出物収集インレットポート８１７内に更に排出物リザーバ２０５内に排出物を移動させるための真空力を発生する。このような灌注ルーチンは、実行されると、プロセッサ１２０１により、指定の時間に出力インターフェース１２１１を介してポンプアセンブリ２０７ａに第２の信号を送信させることができ、その結果、ポンプアセンブリ２０７ａがオンになり、それにより強制的に洗浄剤を洗浄剤リザーバ２０１から洗浄液流体連絡経路２１９を通ってカニューレ１０５に移動又は流出させ、そこで洗浄剤は圧力で灌注アウトレットアパーチャ８０９を通って出る。プロセッサ１２０１は、ポンプアセンブリ２０７ａがオフになる前に灌注ルーチン中の短時間の持続時間（例えば、約２秒）の間、ポンプアセンブリ２０７ａが活動化及び非活動化される複数のパルスを使用してポンプアセンブリ２０７ａを活動化することができる。このセットのプロセッサ実行可能命令１２０７は、異なる期間（例えば、３０秒まで、３０秒、１分、又は１分より長い）の灌注手順を提供することができる。
【０１０２】
図１４は、少なくとも１つの例示された実施形態によるユーザ実行可能選択可能制御部２１７を示している。ユーザ実行可能選択可能制御部２１７は、耳選択ボタン１３０１及びプログラム選択ボタン１３０３と、開始ボタン１３０５と、ＬＥＤセット１３０７と、耳活動化インジケータ１３０９と、電力インジケータ１３１１と、充電インジケータ１３１３とを含む。耳選択ボタン１３０１は、灌注装置１００をオンにし、洗浄すべき耳を選択するために使用することができる。いくつかの実施形態では、耳選択は、所望の耳の上の又はそれに近接した（例えば、接合部１３５ａ及び１３５ｂ上又はその周りの）灌注装置１００の接触感知式又は接触反応式領域（例えば、抵抗、誘導、又は静電容量接触センサ）に触れることによって実行することができる。プログラム選択ボタン１３０３は、１つ以上のメモリ１２０５内に記憶された複数セットのプロセス実行可能命令１２０７に対応可能な複数の灌注ルーチン間を選択するために使用することができる。例えば、プログラム選択ボタン１３０３は、複数の灌注ルーチン間を切り替えるか又は循環するために使用することができる。ＬＥＤセット１３０７は、ユーザによって現在どのルーチンが選択されているかを示すために使用することができる。従って、いくつかの実施形態では、それぞれのＬＥＤは、特定の灌注ルーチンに関する命令１２０７を記憶するメモリ１２０５内の位置に対応することができる。現在選択されている灌注ルーチンに対応するＬＥＤが点灯する可能性がある。開始ボタン１３０５は、現在選択されている灌注ルーチンを開始するために使用することができる。
【０１０３】
いくつかの実施形態では、耳活動化インジケータ１３０９は、現在どちらの耳当て１０１が動作中であるかを示すことができ、「Ｒ」はユーザの右耳の上にフィットするように設計された耳当て１０１ａに対応し、「Ｌ」はユーザの左耳の上にフィットするように設計された耳当て１０１ｂに対応する。電力インジケータ１３１１は、灌注装置１００が現在電源オンになっていて、洗浄サイクルを実行中であるかどうかを示す。充電インジケータ１３１３は、バッテリ２１５が充電されるように灌注装置１００が現在電源に電気的に連結されているかどうかを示す。バッテリ２１５が現在保持している荷電量は、点灯している充電インジケータ１３１３の量に直接関係する可能性がある。加えて又は代替的に、バッテリ２１５が完全に充電されると、充電インジケータ１３１３は、バッテリ充電中に対応する１つの色（例えば赤色）から、バッテリが完全に充電されたことを示す第２の色（例えば緑色）に切り替えることができる。いくつかの実施形態はその他の信号及びインジケータを含むことができる。例えば、１つ以上のインジケータを使用して、ポンプアセンブリ２０７ａが高すぎる圧力で洗浄剤を提供していること、真空アセンブリ２０７ｂが強すぎる真空を提供していること、排出物通路２１４が詰まっていることなどを示すことができる。いくつかの事例では、灌注装置１００は、ユーザに対する危害又は灌注装置１００に対する損傷を防止するために自動的にシャットダウンする可能性がある。いくつかの実施形態では、ユーザ実行可能選択可能制御部２１７のうちの少なくとも１つは、灌注装置１００を自動的にシャットダウンするための「強制終了」スイッチとして使用することができる。
【０１０４】
いくつかの実施形態では、灌注装置１００は、灌注装置１００の動作を制御し、それに関するフィードバックを提供するためのタッチスクリーン制御部を含むことができる。このようなタッチスクリーン制御部は、灌注装置１００の一部分に取り入れることができる。いくつかの実施形態では、灌注装置１００は、ユーザのスマートホン／タブレット又は専用のタブレットデバイスなどのワイヤレスデバイスを介してタッチスクリーン制御部を表示できるように無線通信機能（例えば、Bluetooth（登録商標）、WiFi（登録商標）、近距離通信を介する）を有することができる。
【０１０５】
図１５は、１つの例示された実施形態により、灌注手順を実行するための灌注装置の動作方法１４００を示している。１４０２では、コントローラ回路２１３の１つ以上のメモリ１２０５内に記憶されている様々な灌注手順間を選択する信号が受信される。
【０１０６】
１４０４では、現在選択されている灌注手順を開始する信号が受信される。
【０１０７】
１４０６では、コントローラ回路２１３によって生成され、出力インターフェース１２１１を通って送信された信号を介して真空アセンブリ２０７ｂが活動化される。
【０１０８】
１４０８では、パルスサイクルのためにポンプアセンブリ２０７ａが活動化される。前に注記したように、ポンプアセンブリ２０７ａを活動化すると、その結果、洗浄剤リザーバ２０１から洗浄液流体連絡経路２１９を介してカニューレ１０５に向かって洗浄剤が分配され、洗浄剤は圧力を受けてそこから出る。従って、ポンプアセンブリ２０７ａを活動化するための信号を送信すると、特定の量の洗浄剤が洗浄剤リザーバ２０１から分配される。
【０１０９】
１４１０では、遅延が観察された後でポンプアセンブリ２０７ａが非活動化され、その結果、１パルス分の洗浄剤を提供する。遅延及びその結果のパルス持続時間は、例えば、２秒までにすることができる。いくつかの実施形態では、遅延は２秒より長く又は短くすることができる。
【０１１０】
１４１２では、パルスサイクルが完了したかどうかの判断が行われる。パルスサイクルが完了していない場合、動作１４００は１４０８に移行して、ポンプアセンブリ２０７ａを活動化する。いくつかの実施形態では、それぞれの連続するパルスはユーザの耳道内の耳あかを軟化して取り除く働きをすることができる。それぞれのパルスサイクルは、例えば、３０秒まで、１分、９０秒、又はそれより長くすることができる。パルスサイクルが完了している場合、動作１４００は１４１４に移行する。
【０１１１】
１４１４では、灌注手順を終了するために真空アセンブリ２０７ｂが非活動化される。
【０１１２】
上記の詳細な説明は、ブロック図、概略図、及び例の使用により装置及び／又はプロセスの様々な実施形態について明記している。このようなブロック図、概略図、及び例が１つ以上の機能及び／又は動作を含む限り、このようなブロック図、フローチャート、又は例内のそれぞれの機能及び／又は動作は、広範囲のハードウェア、ソフトウェア、ファームウェア、又はこれらの事実上すべての組み合わせにより、個別に及び／又は一括して実施できることは当業者によって理解されるであろう。当業者であれば、本明細書に記載されている方法又はアルゴリズムの多くは、追加の行為を使用するか、いくつかの行為を省略するか、及び／又は指定されたものとは異なる順序で行為を実行することができることを認識するであろう。
【０１１３】
上記の様々な実施形態は、更なる実施形態を提供するために組み合わせることができる。加えて、２０１６年６月３０日に出願された米国仮特許出願第６２／３５７，３２０号を含み、本明細書において参照されるか及び／又は出願データシートに列挙されている米国特許、米国特許出願文献、米国特許出願、外国特許、外国特許出願、及び非特許文献はいずれも参照により全体として本明細書に組み込まれる。様々な特許、出願、及び文献の概念を使用して更なる実施形態を提供するために、必要であれば、諸実施形態の態様を変更することができる。上記の詳細な説明を考慮して、諸実施形態に対してこれら及びその他の変更を行うことができる。
【０１１４】
一般に、以下の特許請求の範囲では、使用される用語は、本明細書及び特許請求の範囲に開示されている特定の実施形態に特許請求の範囲を限定するものと解釈してはならないが、このような特許請求の範囲に含まれる資格がある全範囲の同等物とともに、すべての可能な実施形態を含むものと解釈しなければならない。従って、特許請求の範囲は開示内容によって限定されない。
【図１Ａ】
2019527570.tif 000003
【図１Ｂ】
2019527570.tif 000004
【図２Ａ】
2019527570.tif 000005
【図２Ｂ】
2019527570.tif 000006
【図３Ａ】
2019527570.tif 000007
【図３Ｂ】
2019527570.tif 000008
【図４】
2019527570.tif 000009
【図５】
2019527570.tif 000010
【図６】
2019527570.tif 000011
【図７Ａ】
2019527570.tif 000012
【図７Ｂ】
2019527570.tif 000013
【図７Ｃ】
2019527570.tif 000014
【図７Ｄ】
2019527570.tif 000015
【図８】
2019527570.tif 000016
【図９】
2019527570.tif 000017
【図１０】
2019527570.tif 000018
【図１１】
2019527570.tif 000019
【図１２】
2019527570.tif 000020
【図１３】
2019527570.tif 000021
【図１４】
2019527570.tif 000022
【図１５】
2019527570.tif 000023
【国際調査報告】
2019527570.tif 000024
2019527570.tif 000025